(57)【要約】【課題】室外ユニットのケーシング内に配置される電装品アセンブリにおいて、制御基板と躯体との間に水が侵入した場合であっても、制御基板のパターンに水が接触して制御基板がショートする等の不具合を生じにくくする。【解決手段】電装品アセンブリ７は、制御基板（９１）と、躯体（７１）とを備えている。制御基板（９１）は、ケーシング（２）内において縦向きに配置されており、各種電気部品が実装されている。躯体（７１）は、制御基板（９１）を保持する部材であり、下部に制御基板（９１）との間に存在する水を排出するスリット７５ａ〜７５ｃが形成され、かつ、制御基板９１の基板面に対向する面に水をスリット７５ａ〜７５ｃに導く導水路が形成されている。【選択図】図６
2007205627.tif 000002
【特許請求の範囲】
【請求項１】
ケーシング（２）の内部が鉛直に延びる仕切板（２８）により送風機室（Ｓ１）と機械室（Ｓ２）とに分割された構造を有する空気調和装置の室外ユニットにおいて、前記機械室に配置される電装品アセンブリであって、
前記ケーシング内において縦向きに配置されており、各種電気部品が実装された制御基板（９１）と、
前記制御基板を保持する部材であり、下部に前記制御基板との間に存在する水を排出する排水部（７５ａ〜７５ｃ）が形成され、かつ、前記制御基板の基板面に対向する面に前記水を前記排水部に導く導水路が形成されている躯体（７１）と、
を備えた電装品アセンブリ（７）。
【請求項２】
前記導水路は、前記排水部（７５ａ〜７５ｃ）の上側に配置されている、請求項１に記載の電装品アセンブリ（７）。
【請求項３】
前記躯体（７１）は、前記制御基板（９１）の基板面に対向する縦向きプレート部（７３）と、前記制御基板の下側に位置するように前記縦向きプレート部の前記制御基板側の面から横向きに延びる横向きプレート部（７５）とを有している、請求項２に記載の電装品アセンブリ（７）。
【請求項４】
前記横向きプレート部（７５）と前記制御基板（９１）との上下方向の隙間（γ）は、３ｍｍ以下である、請求項３に記載の電装品アセンブリ（７）。
【請求項５】
前記排水部（７５ａ〜７５ｃ）は、前記縦向きプレート部（７３）と前記横向きプレート部（７５）との接続部分及び／又はその近傍に形成されている、請求項３又は４に記載の電装品アセンブリ（７）
【請求項６】
前記排水部（７５ａ〜７５ｃ）は、前記横向きプレート部（７５）に形成されている、請求項３又は４に記載の電装品アセンブリ（７）。
【請求項７】
前記縦向きプレート部（７３）には、前記制御基板側の面から前記制御基板側へ突出し、かつ、前記排出部（７５ａ〜７５ｃ）に向かって下方に延びる突出部（７３ｃ〜７３ｋ、７３ｍ）が形成されており、
前記導水路は、前記突出部によって構成されている、
請求項３〜６のいずれかに記載の電装品アセンブリ（７）。
【請求項８】
前記縦向きプレート部（７３）には、前記制御基板側の面にインバータ制御素子（９２）が装着されるとともに、前記制御基板とは反対側の面に前記インバータ制御素子の運転時の冷却のためにヒートシンク（９４）が装着されており、
前記導水路は、前記ヒートシンクが装着された部分の下側に形成されている、
請求項３〜７のいずれかに記載の電装品アセンブリ（７）。
【請求項９】
前記ヒートシンク（９４）は、前記送風機室（Ｓ１）と前記機械室（Ｓ２）とを連通する前記仕切板（２８）の開口（２８ａ）に対向する位置に配置されており、
前記排水部（７５ａ〜７５ｃ）は、前記開口よりも下側に配置されている、
請求項８に記載の電装品アセンブリ（７）。
【請求項１０】
前記排水部（７５ａ〜７５ｃ）は、スリットである、請求項１〜９のいずれかに記載の電装品アセンブリ（７）。
【請求項１１】
ケーシング（２）と、
前記ケーシングの内部を送風機室（Ｓ１）と機械室（Ｓ２）とに分割するように鉛直に延びる仕切板（２８）と、
前記機械室に配置される請求項１〜１０のいずれかに記載の電装品アセンブリ（７）と、
を備えた空気調和装置の室外ユニット（１）。
【発明の詳細な説明】
【技術分野】
【０００１】
本発明は、電装品アセンブリ及びそれを備えた空気調和装置の室外ユニット、特に、室外ユニットのケーシング内に配置される電装品アセンブリ及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機と、弁類や冷媒配管等から構成される冷媒回路構成部品と、電装品アセンブリとが配置されている。このような電装品アセンブリとして、縦向きに配置される制御基板と、制御基板を保持する躯体とを備えたものがある。この躯体は、制御基板の基板面に対向する鉛直板部と、この鉛直板部から制御基板の周縁部を囲むように横向きに延びる周縁板部とを有している（特許文献１参照）。
【特許文献１】特開平９−２３６２８４号公報
【発明の開示】
【発明が解決しようとする課題】
【０００３】
上述の従来の電装品アセンブリの躯体の鉛直板部には、制御基板が配置される側の面にインバータ制御素子が装着されるとともに、制御基板が配置される側と反対側の面にインバータ制御素子の冷却のためのヒートシンクが装着されている。そして、ヒートシンクを装着する際には、このヒートシンクは仕切板の開口を通じて送風機室内に突出しているため、躯体の鉛直板部のヒートシンクが装着された部分等から躯体の制御基板側に、すなわち、制御基板と躯体との間に、水が侵入するおそれがある。そして、制御基板と躯体との間に水が侵入すると、制御基板と躯体との間（特に、躯体の下部）に表面張力により滞留してしまい、制御基板のパターン部に水が接触して制御基板がショートする等の不具合が生じるおそれがある。これに対して、ヒートシンクと躯体との装着部分にシール材を設ける等により、制御基板と躯体との間に水が侵入することを防ぐこともあるが、この場合には、シール材のコストがかかることや、シール材の取り付けの手間がかかること、さらには、シール材の取り付けのばらつきによる水の侵入が生じるおそれがある。
【０００４】
本発明の課題は、室外ユニットのケーシング内に配置される電装品アセンブリにおいて、制御基板と躯体との間に水が侵入した場合であっても、制御基板のパターンに水が接触して制御基板がショートする等の不具合を生じにくくすることにある。
【課題を解決するための手段】
【０００５】
第１の発明にかかる電装品アセンブリは、ケーシングの内部が鉛直に延びる仕切板により送風機室と機械室とに分割された構造を有する空気調和装置の室外ユニットにおいて、機械室に配置される電装品アセンブリであって、制御基板と、躯体とを備えている。制御基板は、ケーシング内において縦向きに配置されており、各種電気部品が実装されている。躯体は、制御基板を保持する部材であり、下部に制御基板との間に存在する水を排出する排水部が形成され、かつ、制御基板の基板面に対向する面に水を排水部に導く導水路が形成されている。
【０００６】
この電装品アセンブリでは、躯体が縦向きに配置される制御基板を保持しており、この躯体の下部に制御基板との間に存在する水を排出する排水部が形成され、かつ、この躯体の制御基板の基板面に対向する面に水を排水部に導く導水路が形成されているため、制御基板と躯体との間に存在する水を速やかに排出して滞留することを防ぐことができる。これにより、この電装品アセンブリでは、制御基板と躯体との間に水が侵入した場合であっても、制御基板のパターンに水が接触して制御基板がショートする等の不具合を生じにくくすることができ、信頼性を向上させることができる。
【０００７】
第２の発明にかかる電装品アセンブリは、第１の発明にかかる電装品アセンブリにおいて、導水路は、排水部の上側に配置されている。
この電装品アセンブリでは、導水路が排水部の上側に配置されているため、制御基板と躯体との間に侵入した水を、重力により排水部まで導くことができる。
【０００８】
第３の発明にかかる電装品アセンブリは、第２の発明にかかる電装品アセンブリにおいて、躯体は、制御基板の基板面に対向する縦向きプレート部と、制御基板の下側に位置するように縦向きプレート部の制御基板側の面から横向きに延びる横向きプレート部とを有している。
この電装品アセンブリでは、制御基板と躯体との間に水が侵入した場合において、縦向きプレート部と横向きプレート部との接続部分及びその近傍に水が滞留しやすくなっているが、制御基板の基板面に対向する面を構成する縦向きプレート部に導水路が形成されているため、制御基板と躯体との間に存在する水を排水部に導いて速やかに排出して、縦向きプレート部と横向きプレート部との接続部分及びその近傍に水が滞留することを防ぐことができる。
【０００９】
第４の発明にかかる電装品アセンブリは、第３の発明にかかる電装品アセンブリにおいて、横向きプレート部と制御基板との上下方向の隙間は、３ｍｍ以下である。
この電装品アセンブリでは、制御基板と躯体との間に水が侵入した場合において、横向きプレート部と制御基板とが非常に接近して設けられているため、横向きプレート部と制御基板との間の部分及びその近傍に水が滞留しやすくなっているが、導水路及び排水部が形成されているため、制御基板と躯体との間に存在する水を導水路によって排水部に導いて速やかに排出して、横向きプレート部と制御基板との間の部分及びその近傍に水が滞留することを防ぐことができる。
【００１０】
第５の発明にかかる電装品アセンブリは、第３又は第４の発明にかかる電装品アセンブリにおいて、排水部は、縦向きプレート部と横向きプレート部との接続部分及び／又はその近傍に形成されている。
この電装品アセンブリでは、制御基板と躯体との間に水が侵入した場合において水が滞留しやすい縦向きプレート部と横向きプレート部との接続部分及び／又はその近傍に、排水部を形成しているため、縦向きプレート部と横向きプレート部との接続部分及びその近傍に水が滞留することを確実に防ぐことができる。
【００１１】
第６の発明にかかる電装品アセンブリは、第３又は第４の発明にかかる電装品アセンブリにおいて、排水部は、横向きプレート部に形成されている。
この電装品アセンブリでは、制御基板と躯体との間に水が侵入した場合において制御基板と躯体との間の部分のうちで最も下側に位置する横向きプレート部に、排水部を形成しているため、縦向きプレート部と横向きプレート部との接続部分及びその近傍に水が滞留することを確実に防ぐことができる。また、横向きプレート部と制御基板とが非常に接近して設けられている場合には、横向きプレート部と制御基板との間の部分及びその近傍に水が滞留することを確実に防ぐことができる。
【００１２】
第７の発明にかかる電装品アセンブリは、第３〜第６の発明のいずれかにかかる電装品アセンブリにおいて、縦向きプレート部には、制御基板側の面から制御基板側へ突出し、かつ、排出部に向かって下方に延びる突出部が形成されている。導水路は、突出部によって構成されている。
この電装品アセンブリでは、導水路が突出部によって構成されているため、躯体の縦向きプレート部の強度向上にも寄与することができる。
【００１３】
第８の発明にかかる電装品アセンブリは、第３〜第７の発明のいずれかにかかる電装品アセンブリにおいて、縦向きプレート部には、制御基板側の面にインバータ制御素子が装着されるとともに、制御基板とは反対側の面にインバータ制御素子の運転時の冷却のためにヒートシンクが装着されている。導水路は、ヒートシンクが装着された部分の下側に形成されている。
【００１４】
この電装品アセンブリでは、縦向きプレート部の制御基板側の面にインバータ制御素子が装着されるとともに、縦向きプレート部の制御基板とは反対側の面にインバータ制御素子の運転時の冷却のためにヒートシンクが装着されているため、縦向きプレート部のヒートシンクが装着された部分から水が侵入するおそれがあるが、縦向きプレート部にはヒートシンクが装着された部分の下側に導水路が形成されているため、制御基板と躯体との間にヒートシンクが装着された部分から水が侵入した場合であっても、制御基板と躯体との間に存在する水を排水部に導いて速やかに排出して滞留することを防ぐことができる。
【００１５】
第９の発明にかかる電装品アセンブリは、第８の発明にかかる電装品アセンブリにおいて、ヒートシンクは、送風機室と機械室とを連通する仕切板の開口に対向する位置に配置されている。排水部は、開口よりも下側に配置されている。
この電装品アセンブリでは、ヒートシンクが仕切板の開口に対向する位置に配置されており、躯体の縦向きプレート部にも水が付着しやすくなっているが、排水部が仕切板の開口よりも下側に配置されているため、躯体の縦向きプレート部に付着した水が排水部を通じて制御基板と躯体との間に侵入しにくくなっている。
【００１６】
第１０の発明にかかる電装品アセンブリは、第１〜第９の発明のいずれかにかかる電装品アセンブリにおいて、排水部は、スリットである。
この電装品アセンブリでは、排水部がスリットであるため、躯体の下部の強度低下を極力防ぐことができる。
【００１７】
第１１の発明にかかる空気調和装置の室外ユニットは、ケーシングと、ケーシングの内部を送風機室と機械室とに分割するように鉛直に延びる仕切板と、機械室内に配置される第１〜第１０の発明のいずれかにかかる電装品アセンブリとを備えている。
この空気調和装置の室外ユニットでは、第１〜第１０の発明のいずれかにかかる電装品アセンブリを備えているため、室外ユニットの信頼性を向上させることができる。
【発明の効果】
【００１８】
以上の説明に述べたように、本発明によれば、以下の効果が得られる。
第１の発明では、制御基板と躯体との間に水が侵入した場合であっても、制御基板のパターンに水が接触して制御基板がショートする等の不具合を生じにくくすることができ、信頼性を向上させることができる。
第２の発明では、制御基板と躯体との間に侵入した水を、重力により排水部まで導くことができる。
【００１９】
第３の発明では、縦向きプレート部と横向きプレート部との接続部分及びその近傍に水が滞留することを防ぐことができる。
第４の発明では、横向きプレート部と制御基板との間の部分及びその近傍に水が滞留することを防ぐことができる。
第５の発明では、縦向きプレート部と横向きプレート部との接続部分及びその近傍に水が滞留することを確実に防ぐことができる。
【００２０】
第６の発明では、縦向きプレート部と横向きプレート部との接続部分及びその近傍に水が滞留することを確実に防ぐことができる。また、横向きプレート部と制御基板とが非常に接近して設けられている場合には、横向きプレート部と制御基板との間の部分及びその近傍に水が滞留することを確実に防ぐことができる。
第７の発明では、躯体の縦向きプレート部の強度向上にも寄与することができる。
【００２１】
第８の発明では、制御基板と躯体との間にヒートシンクが装着された部分から水が侵入した場合であっても、制御基板と躯体との間に存在する水を排水部に導いて速やかに排出して滞留することを防ぐことができる。
第９の発明では、躯体の縦向きプレート部に付着した水が排水部を通じて制御基板と躯体との間に侵入しにくくなっている。
【００２２】
第１０の発明では、躯体の下部の強度低下を極力防ぐことができる。
第１１の発明では、室外ユニットの信頼性を向上させることができる。
【発明を実施するための最良の形態】
【００２３】
以下、図面に基づいて、本発明にかかる電装品アセンブリ及びそれを備えた空気調和装置の室外ユニットの実施形態について説明する。
（１）室外ユニットの全体構成
図１は、本発明にかかる電装品アセンブリの一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００２４】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５と、室外ユニット１の運転制御を行う電装品アセンブリ７とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００２５】
（２）ユニットケーシングの構成
ユニットケーシング２は、主として、底板２１と、天板２２と、左前板２３と、右前板２４と、右側板２５とを備えている。
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００２６】
天板２２は、室外ユニット１の天面部分を構成する横長の略長方形状の金属製の板状部材である。
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００２７】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００２８】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００２９】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５と、電装品アセンブリ７とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５や電装品アセンブリ７のメンテナンス等の現地作業を行う際に取り外されることになる。
【００３０】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００３１】
（４）冷媒回路構成部品の構成
圧縮機５１は、圧縮機用電動機をハウジング内に内蔵する密閉型圧縮機であり、機械室Ｓ２内に配置されている。ここで、圧縮機用電動機は、電装品アセンブリ７によって周波数制御が可能な、いわゆるインバータタイプの電動機である。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００３２】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた細長い板状の閉鎖弁サポート部材３０に支持されている。閉鎖弁サポート部材３０は、機械室Ｓ２内において、圧縮機５１の上端付近の高さ位置に配置されている。
【００３３】
（５）電装品アセンブリの構成
電装品アセンブリ７は、運転制御を行うための運転制御素子が実装された制御基板９１やインバータ制御素子９２等の各種電気部品を有しており、本実施形態において、機械室Ｓ２内の上部の仕切板２８付近に配置されている。電装品アセンブリ７は、主として、躯体７１と、端子台８６と、端子台サポート部材８７とを有している。
【００３４】
次に、電装品アセンブリ７の構成について、図３〜図６を用いて、詳細に説明する。ここで、図３は、機械室Ｓ２内に設けられた状態の電装品アセンブリ７を下から見た図である。図４は、機械室Ｓ２内に設けられた状態の電装品アセンブリ７を図１のＡ方向から見た図である。図５は、機械室Ｓ２内に設けられた状態の電装品アセンブリ７を図１のＢ方向から見た図である。
【００３５】
躯体７１は、運転制御素子が実装された制御基板９１とインバータ制御素子９２とを含む各種電気部品が装着される樹脂製の略直方体箱状の部材であり、主として、制御基板９１及びインバータ制御素子９２を含む各種電気部品が装着される基板取付プレート７２と、制御基板９１を覆う基板保護プレート７６とを有している。
基板取付プレート７２は、電装品アセンブリ７が機械室Ｓ２内に設けられた状態において、送風機室Ｓ１側に配置される部材であり、主として、ユニットケーシング２の前面（すなわち、左右前板２３、２４の前面部分）に対して傾斜しかつ鉛直に延びる縦向きプレート部としての取付プレート部７３と、取付プレート部７３の外周縁から反送風機室Ｓ１側に向かって延びる取付フレーム部７４とを有している。矢印Ａ又は矢印Ｂ方向から見た取付プレート部７３の略中央には、取付プレート開口７３ａが形成されている。そして、取付プレート部７３の反送風機室Ｓ１側の面には、取付プレート開口７３ａに対向する位置に、インバータ制御素子９２が装着されている。インバータ制御素子９２は、例えば、パワートランジスタやダイオード等の運転時に高温発熱する電気部品である。また、取付プレート部７３の反送風機室Ｓ１側には、運転制御素子が実装された制御基板９１が取付プレート部７３の面に平行な状態で、固定部材としての複数のネジ９３を用いて装着されている。すなわち、制御基板９１の基板面は、取付プレート部７３と同様に、ユニットケーシング２の前面に対して傾斜しかつ鉛直に延びていることになる。また、制御基板９１は、取付プレート部７３の反送風機室Ｓ１の面との間に隙間（以下、この隙間を隙間βとする）を空けた状態で配置されている。この隙間βは、本実施形態において、５ｍｍから２０ｍｍである。さらに、制御基板９１は、本実施形態において、取付プレート部７３の反送風機室Ｓ１側の面との間にインバータ制御素子９２を挟むように配置されており、インバータ制御素子９２と一体となっている。また、取付プレート部７３の送風機室Ｓ１側の面には、取付プレート開口７３ａを覆うように、ヒートシンク９４が装着されている。ヒートシンク９４は、主として、取付プレート部７３の送風機室Ｓ１側の面に装着されるフランジ部９４ａと、フランジ部９４ａの送風機室Ｓ１側の面から送風機室Ｓ１内に向かって突出する水平な複数の冷却フィン９４ｂとを有している。フランジ部９４ａは、略矩形状のプレート部分である。取付フレーム部７４は、主として、取付プレート部７３の上縁部から反送風機室Ｓ１側に向かって略水平に延びる上方フレーム部７４ａと、取付プレート部７３の側縁部から反送風機室Ｓ１側に向かって略水平に延びる側方フレーム部７４ｂ、７４ｃと、取付プレート部７３の下縁部から反送風機室Ｓ１側に向かって略水平に延びる横向きプレート部としての下方フレーム部７５とから構成されている。そして、制御基板９１は、取付フレーム部７４との間にわずかな隙間（以下、この隙間を隙間γとする）をもって、取付フレーム部７４の内側に配置されている。この隙間γは、本実施形態において、３ｍｍ以下である（例えば、図４における下方フレーム部７５と制御基板９１との上下方向間の隙間γを参照）。また、下方フレーム部７５には、排水部としての複数（ここでは、３つ）のスリット７５ａ〜７５ｃが形成されている。各スリット７５ａ〜７５ｃは、本実施形態において、取付プレート部７３と下方フレーム部７５との接続部分から、制御基板９１の下側を横切って、下方フレーム部７５の反送風機室Ｓ１側の端部まで延びている。
【００３６】
基板保護プレート７６は、電装品アセンブリ７が機械室Ｓ２内に設けられた状態において、基板取付プレート７２の反送風機室Ｓ１側に配置される部材であり、主として、ユニットケーシング２の前面（すなわち、左右前板２３、２４の前面部分）に対して傾斜しかつ鉛直に延びる保護プレート部７７と、保護プレート部７７の外周縁から送風機室Ｓ１側に向かって延びる保護フレーム部７８とを有している。保護プレート部７７は、主として、電装品アセンブリ７が機械室Ｓ２内に設けられた状態において、ユニットケーシング２の前面寄りの前側保護プレート部７７ａと、前側保護プレート部７７ａよりもユニットケーシング２の前面から遠い側の後側保護プレート部７７ｂとを有している。後側保護プレート部７７ｂは、矢印Ａ方向から見た保護プレート部７７の左右方向略中央に形成された段差を介して前側保護プレート部７７ａに対して矢印Ｂ方向に突出した状態で一体となっている。前側保護プレート部７７ａ及び後側保護プレート部７７ｂは、取付プレート部７３の面に平行に配置されている。保護フレーム部７８は、取付フレーム部７４と矢印Ａ又は矢印Ｂ方向に直交する方向から見た際に、互いの矢印Ａ又は矢印Ｂ方向の端部が重なるように配置されている。そして、基板保護プレート７６は、保護フレーム部７８又は取付フレーム部７４（具体的には、上方フレーム部７４ａ、側方フレーム部７４ｂ、７４ｃ及び下方フレーム部７５）に形成された係合爪やネジ等を用いて基板取付プレート７２に装着されている。また、前側保護プレート部７７ａの外面（すなわち、基板保護プレート７６を矢印Ａ方向から見た面）には、制御基板９１とは別に、運転制御素子のうちで視認性及びサービス性を必要とする高アクセス頻度制御素子（例えば、ＬＥＤ等からなる表示素子９８ａやスイッチやコネクタ等からなる操作素子９８ｂ）が実装された第１補助基板９８が装着されている。ここで、第１補助基板９８は、前側保護プレート部７７ａの外面に形成された複数（ここでは、４つ）の係止爪７７ｃを含む第１補助基板装着部７９において固定されている。さらに、電装品アセンブリ７が機械室Ｓ２内に設けられた状態において、前側保護プレート部７７ａの第１補助基板装着部７９の下側、後側保護プレート部７７ｂの上部及び後側保護プレート部７７ｂの下部には、それぞれ、付加機能（例えば、通信機能やデマンド制御機能等）を追加する際に必要な付加機能用制御素子が実装された第２補助基板９９ａ、９９ｂ及び９９ｃを装着することができるようになっている。ここで、第２補助基板９９ａは、前側保護プレート部７７ａの外面に形成された複数（ここでは、４つ）の係止爪７７ｄを含む第２補助基板装着部８０ａにおいて固定できるようになっている。第２補助基板９９ｂは、後側保護プレート部７７ｂの外面に形成された複数（ここでは、３つ）のネジ孔７７ｅを含む第２補助基板装着部８０ｂにおいて固定できるようになっている。第２補助基板９９ｃは、後側保護プレート部７７ｂの外面に形成された複数（ここでは、３つ）の係止爪７７ｆを含む第２補助基板装着部８０ｃにおいて固定できるようになっている。尚、躯体７１（すなわち、基板保護プレート７６）を矢印Ａ方向から見た際においても、ユニットケーシング２の側面（すなわち、右前板２４の側面部分及び右側板２５の側面部分）によって隠れてしまうことなく、高アクセス頻度制御素子９８ａ、９８ｂのすべて（すなわち、第１補助基板９８全体）を視認することができるように、ユニットケーシング２の前面に対して傾斜している。より具体的には、躯対７１は、躯体７１（すなわち、基板保護プレート７６）を矢印Ａ方向から見た際において、ユニットケーシング２の側面の前端が基板保護プレート７６の上下方向に延びる段差とほぼ重なるように、ユニットケーシング２の前面に対して傾斜している。
【００３７】
また、電装品アセンブリ７が機械室Ｓ２内に設けられた状態において、躯体７１の上面にはリアクトル９６が金属製のリアクトル取付プレート８５を介して装着されており、躯体７１の下面にはノイズフィルタ９７が装着されている。
そして、上述のような各種電気部品やヒートシンク９４が装着された躯体７１には、取付プレート部７３の送風機室Ｓ１側の面を覆うように躯体支持プレート８１が固定されている。躯体支持プレート８１は、金属製の部材であり、主として、電装品アセンブリ７が機械室Ｓ２内に設けられた状態において、取付プレート部７３の送風機室Ｓ１側の面に接する支持プレート部８２と、支持プレート部８２の両側縁から仕切板２８の屈曲面に沿って延びる前側延出部８３及び後側延出部８４とを有している。ここで、支持プレート部８２は、取付プレート部７３の下部を除くほぼ全面を覆っており、取付プレート部７３に装着されたヒートシンク９４のフランジ部９４ａの外周側を囲むように支持プレート開口８２ａが形成されている。これにより、躯体７１に装着されたヒートシンク９４の複数の冷却フィン９４ｂは、躯体７１が躯体支持プレート８１に固定された状態において、支持プレート開口８２ａを貫通して支持プレート部８２の送風機室Ｓ１側に突出している。また、支持プレート部８２には、その下端が送風機室Ｓ１側に向かって延びた後に下方に延びる舌部８２ｂが折り曲げ等により形成されている。そして、躯体支持プレート８１は、躯体７１が固定された状態において、例えば、前側延出部８３、後側延出部８４又は支持プレート部８２に形成された係合爪やネジ等を用いて仕切板２８に固定されている。ここで、仕切板２８には、送風機室Ｓ１と機械室Ｓ２とを連通するように略矩形状の仕切板開口２８ａが形成されている。仕切板開口２８ａは、支持プレート開口８２ａに対向しかつ矢印Ｂ方向から見た際に支持プレート開口８２ａ及び支持プレート部８２の下端を囲むように形成されている。これにより、ヒートシンク９４の複数の冷却フィン９４ｂ及び躯体支持プレート８１の舌部８２ｂは、躯体支持プレート８１を介して躯体７１が仕切板２８に固定された状態において、送風機室Ｓ１内に突出しており、インバータ制御素子９２の運転時の冷却を行うことができるようになっている。また、躯体７１は、機械室Ｓ２内に設けられた状態において、制御基板９１の基板面が仕切板２８に沿うようにかつユニットケーシング２の前面に対して傾斜するように設けられている。しかも、躯体７１の角部は、機械室Ｓ２内に設けられた状態の電装品アセンブリ７を上から見た際に、躯体支持プレート８１を介して、仕切板２８の屈曲面に沿うように接している。
【００３８】
そして、取付プレート部７３の反送風機室Ｓ１側の面（すなわち、制御基板９１の基板面に対向する面）には、制御基板９１と取付プレート部７３との間に存在する水を排水部としての複数のスリット７５ａ〜７５ｃに導く導水路（具体的には、以下に説明する突出部としての複数の導水リブ７３ｃ〜７３ｋ、７３ｍによって構成される導水路）が形成されており、制御基板９１と取付プレート部７３との間に水が侵入した場合においても、制御基板９１と躯体７１との間に存在する水を速やかに排出して滞留することを防ぐことができるようになっている。以下、この導水路について、図３及び図５〜８を用いて、周辺の構造も含めて詳細に説明する。ここで、図６は、躯体７１の基板取付プレート７２（基板保護プレート７２、制御基板９１、インバータ制御素子９２及びヒートシンク９４を取り外した状態）をＡ方向から見た図である。図７は、図６のＥ−Ｅ断面図（制御基板９１を２点鎖線により図示）である。図８は、図６のＦ−Ｆ断面図（制御基板９１を２点鎖線により図示）である。
【００３９】
まず、制御基板９１の取付プレート部７３への装着構造について詳細に説明する。取付プレート部７３の反送風機室Ｓ１側の面には、図６及び図８に示されるように、制御基板９１を取付プレート部７３に装着するための複数（ここでは、１０個）の固定座部７３ｎが制御基板側に突出するように形成されている。各固定座部７３ｎの制御基板側の端部には、制御基板９１の基板面に当接する平坦な面が形成されており、制御基板９１が取付プレート部７３に装着されると、取付プレート部７３の面に平行な状態で、かつ、取付プレート部７３の反送風機室Ｓ１の面との間に隙間βを空けた状態で配置されるようになっている。そして、各固定座部７３ｎには、その制御基板側の端部から取付プレート部７３側に向かって延びるネジ孔が形成されており、制御基板９１がネジ９３を用いて装着されている。また、制御基板９１は、ネジ９３を用いて取付プレート部７３に装着された状態において、下方フレーム部７５との間に隙間γをもって、取付フレーム部７４の内側（下方フレーム部７５の上側）に配置されている。
【００４０】
次に、ヒートシンク９４のフランジ部９４ａの取付プレート部７３への装着構造について詳細に説明する。フランジ部９４ａは、ネジ９５を用いて取付プレート部７３に装着されている。より具体的には、図６に示されるように、取付プレート部７３にはネジ９５が挿入されるネジ孔７３ｂが取付プレート開口７３ａの外周側に複数（ここでは、４つ）形成されており、また、図５に示されるように、フランジ部９４ａにはネジ孔７３ｂに対応する位置にネジ孔９４ｃが形成されており、両ネジ孔７３ｂ、９４ｃにネジ９５を挿入することで、フランジ部９４ａが取付プレート部７３に装着されている。
【００４１】
次に、排出部としてのスリット７５ａ〜７５ｃについて詳細に説明する。スリット７５ａは、図６に示されるように、下方フレーム部７５をＡ方向から見た際において、下方フレーム部７５の側方フレーム部７４ｂ寄りの位置に形成されている。また、取付プレート開口７３ａ及びネジ孔７３ｂが形成された部分（すなわち、ヒートシンク９４が装着される部分）との関係でいえば、ヒートシンク９４が装着される部分のうち側方フレーム部７４ｂ寄りの部分の下側に配置されている。スリット７５ｂは、図６に示されるように、下方フレーム部７５をＡ方向から見た際において、下方フレーム部７５の横方向略中央の位置に形成されている。また、取付プレート開口７３ａ及びネジ孔７３ｂが形成された部分（すなわち、ヒートシンク９４が装着される部分）との関係でいえば、ヒートシンク９４が装着される部分の横方向略中央の部分の下側に配置されている。スリット７５ｃは、図６に示されるように、下方フレーム部７５をＡ方向から見た際において、下方フレーム部７５の側方フレーム部７４ｃ寄りの位置に形成されている。また、取付プレート開口７３ａ及びネジ孔７３ｂが形成された部分（すなわち、ヒートシンク９４が装着される部分）との関係でいえば、ヒートシンク９４が装着される部分のうち側方フレーム部７４ｃ寄りの部分の下側に配置されている。さらに、下方フレーム部７５及び取付プレート部７３の下端部は、図５に示されるように、仕切板２８の仕切板開口２８ａよりも下側に配置されているため、下方フレーム部７５に形成されたスリット７５ａ〜７５ｃも仕切板開口２８ａよりも下側に配置されることになる。
【００４２】
次に、取付プレート部７３の反送風機室Ｓ１側の面に形成された導水リブ７３ｃ〜７３ｋ、７３ｍについて詳細に説明する。導水リブ７３ｃは、図６に示されるように、取付プレート部７３をＡ方向から見た際において、スリット７５ａの上側でかつスリット７５ａの横方向側方フレーム部７４ｂ側の位置から、スリット７５ａの横方向側方フレーム部７４ｂ側の縁部に向かって、斜め下方に真っ直ぐ延びている。ここで、導水リブ７３ｃの下端は、スリット７５ａの横方向側方フレーム部７４ｂ側の縁部に繋がっており、下方フレーム部７５の上面と一体となっている。導水リブ７３ｄは、図６に示されるように、取付プレート部７３をＡ方向から見た際において、スリット７５ａの上側でかつスリット７５ａの横方向側方フレーム部７４ｃ側の位置から、スリット７５ａの横方向側方フレーム部７４ｃ側の縁部に向かって、斜め下方に真っ直ぐ延びている。ここで、導水リブ７３ｄの下端は、スリット７５ａの横方向側方フレーム部７４ｃ側の縁部に繋がっており、下方フレーム部７５の上面と一体となっている。導水リブ７３ｅは、図６に示されるように、取付プレート部７３をＡ方向から見た際において、スリット７５ｂの上側でかつスリット７５ｂの横方向側方フレーム部７４ｂ側の位置から、スリット７５ｂの横方向側方フレーム部７４ｂ側の縁部に向かって、斜め下方に真っ直ぐ延びている。ここで、導水リブ７３ｅの下端は、スリット７５ｂの横方向側方フレーム部７４ｂ側の縁部に繋がっており、下方フレーム部７５の上面と一体となっている。また、導水リブ７３ｅの上端部は、導水リブ７３ｄの上端部と繋がっている。導水リブ７３ｆは、図６に示されるように、取付プレート部７３をＡ方向から見た際において、取付プレート開口７３ａの下縁部から、その下方に配置された固定座部７３ｎに向かって、鉛直下方に真っ直ぐ延びている。ここで、導水リブ７３ｅは、この固定座部７３ｎに当接するまでは延びておらず、固定座部７３ｎの直上の位置まで延びている。導水リブ７３ｇは、図６に示されるように、取付プレート部７３をＡ方向から見た際において、導水リブ７３ｆの下端部から、その直下の固定座部７３ｎの側方フレーム部７４ｂ側の縁部よりも側方フレーム部７４ｂ側の位置まで、斜め下方に真っ直ぐ延びている。ここで、導水リブ７３ｇの下端部は、スリット７５ａ又は導水リブ７３ｄの上方に対応する位置まで延びている。導水リブ７３ｆは、図６に示されるように、取付プレート部７３をＡ方向から見た際において、導水リブ７３ｆの下端部から、その直下の固定座部７３ｎの側方フレーム部７４ｃ側の縁部よりも側方フレーム部７４ｃ側の位置まで、斜め下方に真っ直ぐ延びている。ここで、導水リブ７３ｈの下端部は、スリット７５ｂ又は導水リブ７３ｅの上方に対応する位置まで延びている。導水リブ７３ｊは、図６に示されるように、取付プレート部７３をＡ方向から見た際において、取付プレート開口７３ａの下縁部であって導水リブ７３ｆよりも横方向側方フレーム部７４ｃ側の位置から、後述の導水リブ７３ｉと導水リブ７３ｋとに分岐する位置まで、鉛直下方に真っ直ぐ延びている。導水リブ７３ｉは、図６に示されるように、取付プレート部７３をＡ方向から見た際において、導水リブ７３ｊの下端部から、スリット７５ｂの横方向側方フレーム部７４ｃ側の縁部に向かって、斜め下方に真っ直ぐ延びた後に鉛直下方に真っ直ぐ延びている。ここで、導水リブ７３ｉの下端は、スリット７５ｂの横方向側方フレーム部７４ｃ側の縁部に繋がっており、下方フレーム部７５の上面と一体となっている。導水リブ７３ｋは、図６に示されるように、取付プレート部７３をＡ方向から見た際において、導水リブ７３ｊの下端部から、スリット７５ｃの横方向側方フレーム部７４ｂ側の縁部に向かって、鉛直下方に真っ直ぐ延びた後に斜め下方に真っ直ぐ延びている。ここで、導水リブ７３ｋの下端は、スリット７５ｃの横方向側方フレーム部７４ｂ側の縁部に繋がっており、下方フレーム部７５の上面と一体となっている。導水リブ７３ｍは、図６に示されるように、取付プレート部７３をＡ方向から見た際において、スリット７５ｃの上側でかつスリット７５ｃの横方向側方フレーム部７４ｃ側の位置から、スリット７５ｃの横方向側方フレーム部７４ｃ側の縁部に向かって、斜め下方に真っ直ぐ延びた後に鉛直下方に真っ直ぐ延びている。ここで、導水リブ７３ｍの下端は、スリット７５ｃの横方向側方フレーム部７４ｃ側の縁部に繋がっており、下方フレーム部７５の上面と一体となっている。
【００４３】
これらの導水リブ７３ｃ〜７３ｋ、７３ｍは、図６及び図７に示されるように、ヒートシンク９４の取付プレート部７３への装着部分（すなわち、取付プレート開口７３ａ及びネジ孔７３ｂ）の下側に配置されている。また、これらの導水リブ７３ｃ〜７３ｋ、７３ｍの制御基板側への突出距離は、取付プレート部７３の反送風機室Ｓ１の面と制御基板９１との隙間β以下になるように設定されている。
【００４４】
そして、導水リブ７３ｃ〜７３ｋ、７３ｍは、制御基板９１と取付プレート部７３との間に水が存在する場合に、この水をスリット７５ａ〜７５ｃに導く導水路を構成している（図６及び図７の導水リブ及びその近傍に付された矢印を参照）。より具体的には、導水リブ７３ｃ、７３ｄは、上方から流下する水を受けて、スリット７５ａに導く導水路を構成している。導水リブ７３ｅ、７３ｉは、上方から流下する水を受けて、スリット７５ｂに導く導水路を構成している。導水リブ７３ｋ、７３ｍは、上方から流下する水を受けて、スリット７５ｃに導く導水路を構成している。導水リブ７３ｆ〜７３ｈは、上方から流下する水を受けて、導水リブ７３ｆの直下に形成された固定座部７３ｎを避けつつ、導水リブ７３ｇ、７３ｈよりも下側のスリット７５ａ、７５ｂに導く導水路を構成している。
【００４５】
このように、本実施形態の電装品アセンブリ７では、躯体７１を構成する基板取付プレート７２の下部（ここでは、横向きプレート部としての下方フレーム部７５）に、制御基板９１と取付プレート部７３との間に存在する水を排水部としての複数のスリット７５ａ〜７５ｃが形成され、かつ、取付プレート部７３の反送風機室Ｓ１側の面（すなわち、制御基板９１の基板面に対向する面）に、複数のスリット７５ａ〜７５ｃに水を導くための導水路を構成する突出部としての複数の導水リブ７３ｃ〜７３ｋ、７３ｍが形成されている。そして、スリット７５ａ〜７５ｃ及び導水リブ７３ｃ〜７３ｋ、７３ｍは、基板取付プレート７２を樹脂射出成形する際に同時に形成されるものである。
【００４６】
端子台８６は、主として、電源接続用の複数の端子部を有する端子台本体８６ａと、端子台本体８６ａの背面が固定される端子台固定プレート８６ｂとを有している。電装品アセンブリ７が機械室Ｓ２内に設けられた状態において、端子台８６は、端子台本体８６ａの端子部がユニットケーシング２の前面を向くように配置されており、端子台固定プレート８６ｂの仕切板２８側の一端が仕切板２８に固定されている。尚、端子台固定プレート８６ｂの一端が左前板２３の前部に固定されてもよい。
【００４７】
端子台サポート部材８７は、電装品アセンブリ７が機械室Ｓ２内に設けられた状態において端子台８６を支持する第１端子台支持部８７ａと、電装品アセンブリ７が機械室Ｓ２内に設けられた状態において躯体７１の上下方向に延びる軸である係合軸７１ａまわり（軸中心をＯとする）に回動可能に支持される躯体被支持部８７ｂとを有する棒状の部材である。端子台サポート部材８７は、躯体被支持部８７ｂを回動させることによって、第１端子台支持部８７ａを制御基板９１の基板面に対して接近又は離反させることが可能である。そして、端子台固定プレート８６ｂの他端は、端子台サポート部材８７を角度αだけ傾斜させた第１状態にして第１端子台支持部８７ａに装着されることにより支持されている。
【００４８】
このように、本実施形態の電装品アセンブリ７では、躯体７１とは別に端子台８６をユニットケーシング２の前面を向くように仕切板２８に固定するとともに、躯体７１に設けられた端子台サポート部材８７によって支持されている。
（６）本実施形態の電装品アセンブリ及びそれを備えた室外ユニットの特徴
本実施形態の電装品アセンブリ７及びそれを備えた室外ユニット１には、以下のような特徴がある。
【００４９】
（Ａ）
本実施形態の電装品アセンブリ７及びそれを備えた室外ユニット１では、躯体７１が縦向きに配置される制御基板９１を保持しており、この躯体７１の下部に制御基板９１との間に存在する水を排出する排水部としてのスリット７５ａ〜７５ｃが形成され、かつ、この躯体７１の制御基板９１の基板面に対向する面（本実施形態では、反送風機室Ｓ１側の面）に水をスリット７５ａ〜７５ｃに導く導水路を構成する導水リブ７３ｃ〜７３ｋ、７３ｍが形成されているため、制御基板９１と躯体７１（より具体的には、取付プレート部７３）との間に存在する水を速やかに排出して滞留することを防ぐことができる。これにより、この電装品アセンブリ７では、制御基板９１と躯体７１との間に水が侵入した場合であっても、制御基板９１のパターンに水が接触して制御基板９１がショートする等の不具合を生じにくくすることができ、信頼性を向上させることができ、結果的に、室外ユニット１の信頼性も向上させることができる。
また、本実施形態の電装品アセンブリ７では、排水部がスリット７５ａ〜７５ｃであるため、躯体７１の下部の強度低下を極力防ぐことができる。
【００５０】
（Ｂ）
本実施形態の電装品アセンブリ７では、導水路を構成する導水リブ７３ｃ〜７３ｋ、７３ｍは、排水部としてのスリット７５ａ〜７５ｃの上側に配置されているため、制御基板９１と躯体７１（より具体的には、取付プレート部７３）との間に侵入した水を、重力により複数のスリット７５ａ〜７５ｃまで導くことができる。
【００５１】
（Ｃ）
本実施形態の電装品アセンブリ７では、躯体７１が、制御基板９１の基板面に対向する縦向きプレート部としての取付プレート部７３と、制御基板９１の下側に位置するように取付プレート部７３の制御基板側の面（本実施形態では、反送風機室Ｓ１側の面）から横向きに延びる横向きプレート部としての下方フレーム部７５とを有しており、制御基板９１と躯体７１（より具体的には、取付プレート部７３）との間に水が侵入した場合において、取付プレート部７３と下方フレーム部７５との接続部分及びその近傍に水が滞留しやすくなっているが、制御基板９１の基板面に対向する面を構成する取付プレート部７３に導水路を構成する導水リブ７３ｃ〜７３ｋ、７３ｍが形成されているため、制御基板９１と躯体７１との間に存在する水を排水部としての複数のスリット７５ａ〜７５ｃに導いて速やかに排出して、取付プレート部７３と下方フレーム部７５との接続部分及びその近傍に水が滞留することを防ぐことができる。
【００５２】
（Ｄ）
本実施形態の電装品アセンブリ７では、横向きプレート部としての下方フレーム部７５と制御基板９１との上下方向の隙間γが３ｍｍ以下であり、制御基板９１と躯体７１（より具体的には、取付プレート部７３）との間に水が侵入した場合において、横向きプレート部と制御基板とが非常に接近して設けられているため、下方フレーム部７５と制御基板９１との間の部分及びその近傍に水が滞留しやすくなっているが、導水路としての導水リブ７３ｃ〜７３ｋ、７３ｍ及び排水部としてのスリット７５ａ〜７５ｃが形成されているため、制御基板９１と躯体７１との間に存在する水を導水リブ７３ｃ〜７３ｋ、７３ｍによってスリット７５ａ〜７５ｃに導いて速やかに排出して、下方フレーム部７５と制御基板９１との間の部分及びその近傍に水が滞留することを防ぐことができる。
【００５３】
（Ｅ）
本実施形態の電装品アセンブリ７では、制御基板９１と躯体７１（より具体的には、取付プレート部７３）との間に水が侵入した場合において水が滞留しやすい縦向きプレート部としての取付プレート部７３と横向きプレート部としての下方フレーム部７５との接続部分及び／又はその近傍に、排水部としてのスリット７５ａ〜７５ｃを形成しているため、取付プレート部７３と下方フレーム部７５との接続部分及びその近傍に水が滞留することを確実に防ぐことができる。
【００５４】
（Ｆ）
本実施形態の電装品アセンブリ７では、制御基板９１と躯体７１（より具体的には、取付プレート部７３）との間に水が侵入した場合において制御基板９１と躯体７１との間の部分のうちで最も下側に位置する横向きプレート部としての下方フレーム部７５に、排水部としてのスリット７５ａ〜７５ｃを形成しているため、取付プレート部７３と下方フレーム部７５との接続部分及びその近傍に水が滞留することを確実に防ぐことができる。また、本実施形態のように、下方フレーム部７５と制御基板９１とが非常に接近して設けられている場合には、下方フレーム部７５と制御基板９１との間の部分及びその近傍に水が滞留することを確実に防ぐことができる。
【００５５】
特に、本実施形態の電装品アセンブリ７では、排水部としてのスリット７５ａ〜７５ｃが制御基板９１の下側を横切って、下方フレーム部７５の反送風機室Ｓ１側の端部まで延びるように形成されており、最も隙間が狭い下方フレーム部７５と制御基板９１との間の部分からも水を排出することができるため、下方フレーム部７５と制御基板９１との間の部分及びその近傍に水が滞留することを確実に防ぐことができる。
【００５６】
（Ｇ）
本実施形態の電装品アセンブリ７では、縦向きプレート部としての取付プレート部７３に、その制御基板側の面（本実施形態では、反送風機室Ｓ１側の面）から制御基板側へ突出し、かつ、排出部としてのスリット７５ａ〜７５ｃに向かって下方に延びる突出部としての導水リブ７３ｃ〜７３ｋ、７３ｍが形成されており、導水路が導水リブ７３ｃ〜７３ｋ、７３ｍによって構成されているため、制御基板９１と躯体７１（より具体的には、取付プレート部７３）との間に存在する水を速やかにスリット７５ａ〜７５ｃに導く機能が得られるとともに、躯体７１の取付プレート部７３の強度向上にも寄与することができる。
【００５７】
しかも、本実施形態の電装品アセンブリ７では、導水リブ７３ｃ〜７３ｅ、７３ｉ、７３ｋ、７３ｍ下端がスリット７５ａ〜７５ｃに繋がっており、下方フレーム部７５の上面と一体となっているため、スリット７５ａ〜７５ｃが形成された下方フレーム部７５の強度向上にも寄与している。
（Ｈ）
本実施形態の電装品アセンブリ７では、縦向きプレート部としての取付プレート部７３の制御基板側の面にインバータ制御素子９２が装着されるとともに、取付プレート部７３の制御基板９１とは反対側の面（本実施形態では、送風機室Ｓ１側の面）にインバータ制御素子９２の運転時の冷却のためにヒートシンク９４が装着されているため、取付プレート部７３のヒートシンク９４が装着された部分（すなわち、取付プレート開口７３ａ及びネジ孔７３ｂ）から水が侵入するおそれがあるが、取付プレート部７３にはヒートシンク９４が装着された部分の下側に導水路としての導水リブ７３ｃ〜７３ｋ、７３ｍが形成されているため、制御基板９１と躯体７１（より具体的には、取付プレート部７３）との間にヒートシンク９４が装着された部分から水が侵入した場合であっても、制御基板９１と躯体７１との間に存在する水を排水部としてのスリット７５ａ〜７５ｃに導いて速やかに排出して滞留することを防ぐことができる。
【００５８】
しかも、本実施形態の電装品アセンブリ７では、ヒートシンク９４が仕切板２８の開口である仕切板開口２８ａに対向する位置に配置されており、躯体７１の縦向きプレート部としての取付プレート部７３にも水が付着しやすくなっているが、排水部としてのスリット７５ａ〜７５ｃが仕切板開口２８ａよりも下側に配置されているため、取付プレート部７３に付着した水がスリット７５ａ〜７５ｃを通じて制御基板９１と躯体７１との間に侵入しにくくなっている。
【００５９】
（７）他の実施形態
以上、本発明の実施形態について図面に基づいて説明したが、具体的な構成は、これらの実施形態に限られるものではなく、発明の要旨を逸脱しない範囲で変更可能である。
（Ａ）
上述の実施形態では、突出部としての導水リブ７３ｃ〜７３ｋ、７３ｍを縦向きプレート部としての取付プレート部７３の制御基板９１に対向する面に形成することによって、導水路を構成するようにしているが、これに限定されず、例えば、取付プレート部７３の制御基板９１に対向する面に溝を設けるようにしてもよい。この場合には、突出部を設ける場合に比べて、躯体７１の強度向上の効果を得ることは難しいが、排水部としてのスリット７５ａ〜７５ｃに水を導く機能を得ることはできる。
【００６０】
（Ｂ）
上述の実施形態では、排水部としてのスリット７５ａ〜７５ｃが横向きプレート部としての下方フレーム部７５のみに形成されているが、縦向きプレート部としての取付プレート部７３に形成されていてもよい。例えば、上述の実施形態のスリット７５ａ〜７５ｃを、取付プレート部７３の下端部から上方に延長するように形成することが考えられる。尚、この場合においても、スリット７５ａ〜７５ｃの上端は、仕切板開口２８ａの下端まで達しない程度に延長することが望ましい。
【産業上の利用可能性】
【００６１】
本発明を利用すれば、室外ユニットのケーシング内に配置される電装品アセンブリにおいて、制御基板と躯体との間に水が侵入した場合であっても、制御基板のパターンに水が接触して制御基板がショートする等の不具合を生じにくくすることができる。
【図面の簡単な説明】
【００６２】
【図１】本発明にかかる電装品アセンブリの一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】機械室内に設けられた状態の電装品アセンブリを下から見た図である。
【図４】機械室内に設けられた状態の電装品アセンブリを図１のＡ方向から見た図である。
【図５】機械室内に設けられた状態の電装品アセンブリを図１のＢ方向から見た図である。
【図６】躯体の基板取付プレート（基板保護プレート、制御基板、インバータ制御素子及びヒートシンクを取り外した状態）をＡ方向から見た図である。
【図７】図６のＥ−Ｅ断面図である（制御基板９１を２点鎖線により図示）。
【図８】図６のＦ−Ｆ断面図である（制御基板９１を２点鎖線により図示）。
【符号の説明】
【００６３】
１  室外ユニット
２  ユニットケーシング（ケーシング）
７  電装品アセンブリ
２８  仕切板
２８ａ  仕切板開口（開口）
７１  躯体
７３  取付プレート部（縦向きプレート部）
７３ｃ〜７３ｋ、７３ｍ  導水リブ（突出部）
７５  下方フレーム部（横向きプレート部）
７５ａ〜７５ｃ  スリット（排水部）
９１  制御基板
９２  インバータ制御素子
９４  ヒートシンク
Ｓ１  送風機室
Ｓ２  機械室
【図１】
2007205627.tif 000003
【図２】
2007205627.tif 000004
【図３】
2007205627.tif 000005
【図４】
2007205627.tif 000006
【図５】
2007205627.tif 000007
【図６】
2007205627.tif 000008
【図７】
2007205627.tif 000009
【図８】
2007205627.tif 000010
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
ケーシング（２）の内部が鉛直に延びる仕切板（２８）により送風機室（Ｓ１）と機械室（Ｓ２）とに分割された構造を有する空気調和装置の室外ユニットにおいて、前記機械室に配置される電装品アセンブリであって、
前記ケーシング内において縦向きに配置されており、各種電気部品が実装された制御基板（９１）と、
前記制御基板の基板面に対向する縦向きプレート部（７３）と、前記制御基板の下側に位置するように前記縦向きプレート部の前記制御基板側の面から横向きに延びる横向きプレート部とを有しており、前記制御基板を保持する躯体（７１）と、
前記縦向きプレート部の前記制御基板とは反対側の面に装着されたヒートシンク（９４）とを備え、
前記躯体には、前記縦向きプレート部の前記制御基板側の面に、前記ヒートシンクが装着された部分から前記制御基板との間に侵入した水を下方に導く導水路が形成され、かつ、前記横向きプレート部に、前記導水路によって導かれる前記水を排出する排水部（７５ａ〜７５ｃ）が形成されており、
前記導水路は、前記縦向きプレート部の前記制御基板側の面から前記制御基板側へ突出し、かつ、前記排水部に向かって下方に延びる突出部（７３ｃ〜７３ｋ、７３ｍ）によって形成されており、
前記突出部は、前記排水部に繋がるとともに、前記横向きプレート部の上面と一体となっている、
電装品アセンブリ（７）。
【請求項２】
ケーシング（２）の内部が鉛直に延びる仕切板（２８）により送風機室（Ｓ１）と機械室（Ｓ２）とに分割された構造を有する空気調和装置の室外ユニットにおいて、前記機械室に配置される電装品アセンブリであって、
前記ケーシング内において縦向きに配置されており、各種電気部品が実装された制御基板（９１）と、
前記制御基板の基板面に対向する縦向きプレート部（７３）と、前記制御基板の下側に位置するように前記縦向きプレート部の前記制御基板側の面から横向きに延びる横向きプレート部とを有しており、前記制御基板を保持する躯体（７１）と、
前記縦向きプレート部の前記制御基板とは反対側の面に装着されたヒートシンク（９４）とを備え、
前記躯体には、前記縦向きプレート部の前記制御基板側の面に、前記ヒートシンクが装着された部分から前記制御基板との間に侵入した水を下方に導く導水路が形成され、かつ、前記導水路の下側に、前記導水路によって導かれる前記水を排出する排水部（７５ａ〜７５ｃ）が形成されており、
前記排水部は、スリットであり、前記制御基板の下側を横切るように前記横向きプレート部に形成されている、
電装品アセンブリ（７）。
【請求項３】
前記横向きプレート部（７５）と前記制御基板（９１）との上下方向の隙間（γ）は、３ｍｍ以下である、請求項１又は２に記載の電装品アセンブリ（７）。
【請求項４】
前記ヒートシンク（９４）は、前記縦向きプレート部の前記制御基板側の面に装着されたインバータ制御素子（９２）の運転時の冷却のために設けられている、
請求項１〜３のいずれかに記載の電装品アセンブリ（７）。
【請求項５】
前記ヒートシンク（９４）は、前記送風機室（Ｓ１）と前記機械室（Ｓ２）とを連通する前記仕切板（２８）の開口（２８ａ）に対向する位置に配置されており、
前記排水部（７５ａ〜７５ｃ）は、前記開口よりも下側に配置されている、
請求項１〜４のいずれかに記載の電装品アセンブリ（７）。
【請求項６】
ケーシング（２）と、
前記ケーシングの内部を送風機室（Ｓ１）と機械室（Ｓ２）とに分割するように鉛直に延びる仕切板（２８）と、
前記機械室に配置される請求項１〜５のいずれかに記載の電装品アセンブリ（７）と、
を備えた空気調和装置の室外ユニット（１）。
【手続補正２】
【補正対象書類名】明細書
【補正対象項目名】全文
【補正方法】変更
【補正の内容】
【発明の詳細な説明】
【技術分野】
【０００１】
本発明は、電装品アセンブリ及びそれを備えた空気調和装置の室外ユニット、特に、室外ユニットのケーシング内に配置される電装品アセンブリ及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機と、弁類や冷媒配管等から構成される冷媒回路構成部品と、電装品アセンブリとが配置されている。このような電装品アセンブリとして、縦向きに配置される制御基板と、制御基板を保持する躯体とを備えたものがある。この躯体は、制御基板の基板面に対向する鉛直板部と、この鉛直板部から制御基板の周縁部を囲むように横向きに延びる周縁板部とを有している（特許文献１参照）。
【特許文献１】特開平９−２３６２８４号公報
【発明の開示】
【発明が解決しようとする課題】
【０００３】
上述の従来の電装品アセンブリの躯体の鉛直板部には、制御基板が配置される側の面にインバータ制御素子が装着されるとともに、制御基板が配置される側と反対側の面にインバータ制御素子の冷却のためのヒートシンクが装着されている。そして、ヒートシンクを装着する際には、このヒートシンクは仕切板の開口を通じて送風機室内に突出しているため、躯体の鉛直板部のヒートシンクが装着された部分等から躯体の制御基板側に、すなわち、制御基板と躯体との間に、水が侵入するおそれがある。そして、制御基板と躯体との間に水が侵入すると、制御基板と躯体との間（特に、躯体の下部）に表面張力により滞留してしまい、制御基板のパターン部に水が接触して制御基板がショートする等の不具合が生じるおそれがある。これに対して、ヒートシンクと躯体との装着部分にシール材を設ける等により、制御基板と躯体との間に水が侵入することを防ぐこともあるが、この場合には、シール材のコストがかかることや、シール材の取り付けの手間がかかること、さらには、シール材の取り付けのばらつきによる水の侵入が生じるおそれがある。
【０００４】
本発明の課題は、室外ユニットのケーシング内に配置される電装品アセンブリにおいて、制御基板と躯体との間に水が侵入した場合であっても、制御基板のパターンに水が接触して制御基板がショートする等の不具合を生じにくくすることにある。
【課題を解決するための手段】
【０００５】
第１の発明にかかる電装品アセンブリは、ケーシングの内部が鉛直に延びる仕切板により送風機室と機械室とに分割された構造を有する空気調和装置の室外ユニットにおいて、機械室に配置される電装品アセンブリであって、制御基板と、躯体とを備えている。制御基板は、ケーシング内において縦向きに配置されており、各種電気部品が実装されている。躯体は、制御基板の基板面に対向する縦向きプレート部と、制御基板の下側に位置するように縦向きプレート部の制御基板側の面から横向きに延びる横向きプレート部とを有しており、制御基板を保持する部材である。ヒートシンクは、縦向きプレート部の制御基板とは反対側の面に装着されている。躯体には、縦向きプレート部の制御基板側の面に、ヒートシンクが装着された部分から制御基板との間に侵入した水を下方に導く導水路が形成され、かつ、横向きプレート部に、導水路によって導かれる水を排出する排水部が形成されている。導水路は、縦向きプレート部の制御基板側の面から制御基板側へ突出し、かつ、排水部に向かって下方に延びる突出部によって形成されている。突出部は、排水部に繋がるとともに、横向きプレート部の上面と一体となっている。
【０００６】
この電装品アセンブリでは、躯体が縦向きに配置される制御基板を保持しており、この躯体の下部に制御基板との間に存在する水を排出する排水部が形成され、かつ、この躯体の制御基板の基板面に対向する面に水を排水部に導く導水路が形成されているため、制御基板と躯体との間に存在する水を速やかに排出して滞留することを防ぐことができる。これにより、この電装品アセンブリでは、制御基板と躯体との間に水が侵入した場合であっても、制御基板のパターンに水が接触して制御基板がショートする等の不具合を生じにくくすることができ、信頼性を向上させることができる。
【０００７】
また、この電装品アセンブリでは、導水路が排水部の上側に配置されているため、制御基板と躯体との間に侵入した水を、重力により排水部まで導くことができる。
【０００８】
また、この電装品アセンブリでは、制御基板と躯体との間に水が侵入した場合において、縦向きプレート部と横向きプレート部との接続部分及びその近傍に水が滞留しやすくなっているが、制御基板の基板面に対向する面を構成する縦向きプレート部に導水路が形成されているため、制御基板と躯体との間に存在する水を排水部に導いて速やかに排出して、縦向きプレート部と横向きプレート部との接続部分及びその近傍に水が滞留することを防ぐことができる。
【０００９】
また、この電装品アセンブリでは、縦向きプレート部の制御基板とは反対側の面にヒートシンクが装着されているため、縦向きプレート部のヒートシンクが装着された部分から水が侵入するおそれがあるが、縦向きプレート部にはヒートシンクが装着された部分の下側に導水路が形成されているため、制御基板と躯体との間にヒートシンクが装着された部分から水が侵入した場合であっても、制御基板と躯体との間に存在する水を排水部に導いて速やかに排出して滞留することを防ぐことができる。
【００１０】
また、この電装品アセンブリでは、制御基板と躯体との間に水が侵入した場合において制御基板と躯体との間の部分のうちで最も下側に位置する横向きプレート部に、排水部を形成しているため、縦向きプレート部と横向きプレート部との接続部分及びその近傍に水が滞留することを確実に防ぐことができる。また、横向きプレート部と制御基板とが非常に接近して設けられている場合には、横向きプレート部と制御基板との間の部分及びその近傍に水が滞留することを確実に防ぐことができる。
【００１１】
さらに、この電装品アセンブリでは、導水路が突出部によって構成されているため、躯体の縦向きプレート部の強度向上にも寄与することができる。
【００１２】
第２の発明にかかる電装品アセンブリは、ケーシングの内部が鉛直に延びる仕切板により送風機室と機械室とに分割された構造を有する空気調和装置の室外ユニットにおいて、機械室に配置される電装品アセンブリであって、制御基板と、躯体とを備えている。制御基板は、ケーシング内において縦向きに配置されており、各種電気部品が実装されている。躯体は、制御基板の基板面に対向する縦向きプレート部と、制御基板の下側に位置するように縦向きプレート部の制御基板側の面から横向きに延びる横向きプレート部とを有しており、制御基板を保持する部材である。ヒートシンクは、縦向きプレート部の制御基板とは反対側の面に装着されている。躯体には、縦向きプレート部の制御基板側の面に、ヒートシンクが装着された部分から制御基板との間に侵入した水を下方に導く導水路が形成され、かつ、横向きプレート部に、導水路によって導かれる水を排出する排水部が形成されている。排水部は、スリットであり、制御基板の下側を横切るように横向きプレート部に形成されている。
【００１３】
この電装品アセンブリでは、躯体が縦向きに配置される制御基板を保持しており、この躯体の下部に制御基板との間に存在する水を排出する排水部が形成され、かつ、この躯体の制御基板の基板面に対向する面に水を排水部に導く導水路が形成されているため、制御基板と躯体との間に存在する水を速やかに排出して滞留することを防ぐことができる。これにより、この電装品アセンブリでは、制御基板と躯体との間に水が侵入した場合であっても、制御基板のパターンに水が接触して制御基板がショートする等の不具合を生じにくくすることができ、信頼性を向上させることができる。
【００１４】
また、この電装品アセンブリでは、導水路が排水部の上側に配置されているため、制御基板と躯体との間に侵入した水を、重力により排水部まで導くことができる。
【００１５】
また、この電装品アセンブリでは、制御基板と躯体との間に水が侵入した場合において、縦向きプレート部と横向きプレート部との接続部分及びその近傍に水が滞留しやすくなっているが、制御基板の基板面に対向する面を構成する縦向きプレート部に導水路が形成されているため、制御基板と躯体との間に存在する水を排水部に導いて速やかに排出して、縦向きプレート部と横向きプレート部との接続部分及びその近傍に水が滞留することを防ぐことができる。
【００１６】
また、この電装品アセンブリでは、縦向きプレート部の制御基板とは反対側の面にヒートシンクが装着されているため、縦向きプレート部のヒートシンクが装着された部分から水が侵入するおそれがあるが、縦向きプレート部にはヒートシンクが装着された部分の下側に導水路が形成されているため、制御基板と躯体との間にヒートシンクが装着された部分から水が侵入した場合であっても、制御基板と躯体との間に存在する水を排水部に導いて速やかに排出して滞留することを防ぐことができる。
【００１７】
また、この電装品アセンブリでは、制御基板と躯体との間に水が侵入した場合において制御基板と躯体との間の部分のうちで最も下側に位置する横向きプレート部に、排水部を形成しているため、縦向きプレート部と横向きプレート部との接続部分及びその近傍に水が滞留することを確実に防ぐことができる。また、横向きプレート部と制御基板とが非常に接近して設けられている場合には、横向きプレート部と制御基板との間の部分及びその近傍に水が滞留することを確実に防ぐことができる。
【００１８】
さらに、この電装品アセンブリでは、排水部がスリットであるため、躯体の下部の強度低下を極力防ぐことができる。
【００１９】
第３の発明にかかる電装品アセンブリは、第１又は第２の発明にかかる電装品アセンブリにおいて、横向きプレート部と制御基板との上下方向の隙間は、３ｍｍ以下である。
【００２０】
この電装品アセンブリでは、制御基板と躯体との間に水が侵入した場合において、横向きプレート部と制御基板とが非常に接近して設けられているため、横向きプレート部と制御基板との間の部分及びその近傍に水が滞留しやすくなっているが、導水路及び排水部が形成されているため、制御基板と躯体との間に存在する水を導水路によって排水部に導いて速やかに排出して、横向きプレート部と制御基板との間の部分及びその近傍に水が滞留することを防ぐことができる。
【００２１】
第４の発明にかかる電装品アセンブリは、第１〜第３の発明のいずれかにかかる電装品アセンブリにおいて、ヒートシンクは、縦向きプレート部の制御基板側の面に装着されたインバータ制御素子の運転時の冷却のために設けられている。
【００２２】
この電装品アセンブリでは、縦向きプレート部の制御基板側の面にインバータ制御素子が装着されるとともに、縦向きプレート部の制御基板とは反対側の面にインバータ制御素子の運転時の冷却のためにヒートシンクが装着されているため、縦向きプレート部のヒートシンクが装着された部分から水が侵入するおそれがあるが、縦向きプレート部にはヒートシンクが装着された部分の下側に導水路が形成されているため、制御基板と躯体との間にヒートシンクが装着された部分から水が侵入した場合であっても、制御基板と躯体との間に存在する水を排水部に導いて速やかに排出して滞留することを防ぐことができる。
【００２３】
第５の発明にかかる電装品アセンブリは、第１〜第４の発明のいずれかにかかる電装品アセンブリにおいて、ヒートシンクは、送風機室と機械室とを連通する仕切板の開口に対向する位置に配置されている。排水部は、開口よりも下側に配置されている。
【００２４】
この電装品アセンブリでは、ヒートシンクが仕切板の開口に対向する位置に配置されており、躯体の縦向きプレート部にも水が付着しやすくなっているが、排水部が仕切板の開口よりも下側に配置されているため、躯体の縦向きプレート部に付着した水が排水部を通じて制御基板と躯体との間に侵入しにくくなっている。
【００２５】
第６の発明にかかる空気調和装置の室外ユニットは、ケーシングと、ケーシングの内部を送風機室と機械室とに分割するように鉛直に延びる仕切板と、機械室内に配置される第１〜第５の発明のいずれかにかかる電装品アセンブリとを備えている。
【００２６】
この空気調和装置の室外ユニットでは、第１〜第５の発明のいずれかにかかる電装品アセンブリを備えているため、室外ユニットの信頼性を向上させることができる。
【発明の効果】
【００２７】
以上の説明に述べたように、本発明によれば、以下の効果が得られる。
【００２８】
第１の発明では、制御基板と躯体との間に水が侵入した場合であっても、制御基板のパターンに水が接触して制御基板がショートする等の不具合を生じにくくすることができ、信頼性を向上させることができる。また、制御基板と躯体との間に侵入した水を、重力により排水部まで導くことができる。また、縦向きプレート部と横向きプレート部との接続部分及びその近傍に水が滞留することを防ぐことができる。また、制御基板と躯体との間にヒートシンクが装着された部分から水が侵入した場合であっても、制御基板と躯体との間に存在する水を排水部に導いて速やかに排出して滞留することを防ぐことができる。また、縦向きプレート部と横向きプレート部との接続部分及びその近傍に水が滞留することを確実に防ぐことができる。また、横向きプレート部と制御基板とが非常に接近して設けられている場合には、横向きプレート部と制御基板との間の部分及びその近傍に水が滞留することを確実に防ぐことができる。さらに、躯体の縦向きプレート部の強度向上にも寄与することができる。
【００２９】
第２の発明では、制御基板と躯体との間に水が侵入した場合であっても、制御基板のパターンに水が接触して制御基板がショートする等の不具合を生じにくくすることができ、信頼性を向上させることができる。また、制御基板と躯体との間に侵入した水を、重力により排水部まで導くことができる。また、縦向きプレート部と横向きプレート部との接続部分及びその近傍に水が滞留することを防ぐことができる。また、制御基板と躯体との間にヒートシンクが装着された部分から水が侵入した場合であっても、制御基板と躯体との間に存在する水を排水部に導いて速やかに排出して滞留することを防ぐことができる。また、縦向きプレート部と横向きプレート部との接続部分及びその近傍に水が滞留することを確実に防ぐことができる。また、横向きプレート部と制御基板とが非常に接近して設けられている場合には、横向きプレート部と制御基板との間の部分及びその近傍に水が滞留することを確実に防ぐことができる。さらに、躯体の下部の強度低下を極力防ぐことができる。
【００３０】
第３の発明では、横向きプレート部と制御基板との間の部分及びその近傍に水が滞留することを防ぐことができる。
【００３１】
第４の発明では、制御基板と躯体との間にヒートシンクが装着された部分から水が侵入した場合であっても、制御基板と躯体との間に存在する水を排水部に導いて速やかに排出して滞留することを防ぐことができる。
【００３２】
第５の発明では、躯体の縦向きプレート部に付着した水が排水部を通じて制御基板と躯体との間に侵入しにくくなっている。
【００３３】
第６の発明では、室外ユニットの信頼性を向上させることができる。
【発明を実施するための最良の形態】
【００３４】
以下、図面に基づいて、本発明にかかる電装品アセンブリ及びそれを備えた空気調和装置の室外ユニットの実施形態について説明する。
【００３５】
（１）室外ユニットの全体構成
図１は、本発明にかかる電装品アセンブリの一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００３６】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５と、室外ユニット１の運転制御を行う電装品アセンブリ７とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００３７】
（２）ユニットケーシングの構成
ユニットケーシング２は、主として、底板２１と、天板２２と、左前板２３と、右前板２４と、右側板２５とを備えている。
【００３８】
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００３９】
天板２２は、室外ユニット１の天面部分を構成する横長の略長方形状の金属製の板状部材である。
【００４０】
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００４１】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
【００４２】
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００４３】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００４４】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５と、電装品アセンブリ７とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５や電装品アセンブリ７のメンテナンス等の現地作業を行う際に取り外されることになる。
【００４５】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００４６】
（４）冷媒回路構成部品の構成
圧縮機５１は、圧縮機用電動機をハウジング内に内蔵する密閉型圧縮機であり、機械室Ｓ２内に配置されている。ここで、圧縮機用電動機は、電装品アセンブリ７によって周波数制御が可能な、いわゆるインバータタイプの電動機である。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００４７】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
【００４８】
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた細長い板状の閉鎖弁サポート部材３０に支持されている。閉鎖弁サポート部材３０は、機械室Ｓ２内において、圧縮機５１の上端付近の高さ位置に配置されている。
【００４９】
（５）電装品アセンブリの構成
電装品アセンブリ７は、運転制御を行うための運転制御素子が実装された制御基板９１やインバータ制御素子９２等の各種電気部品を有しており、本実施形態において、機械室Ｓ２内の上部の仕切板２８付近に配置されている。電装品アセンブリ７は、主として、躯体７１と、端子台８６と、端子台サポート部材８７とを有している。
【００５０】
次に、電装品アセンブリ７の構成について、図３〜図６を用いて、詳細に説明する。ここで、図３は、機械室Ｓ２内に設けられた状態の電装品アセンブリ７を下から見た図である。図４は、機械室Ｓ２内に設けられた状態の電装品アセンブリ７を図１のＡ方向から見た図である。図５は、機械室Ｓ２内に設けられた状態の電装品アセンブリ７を図１のＢ方向から見た図である。
【００５１】
躯体７１は、運転制御素子が実装された制御基板９１とインバータ制御素子９２とを含む各種電気部品が装着される樹脂製の略直方体箱状の部材であり、主として、制御基板９１及びインバータ制御素子９２を含む各種電気部品が装着される基板取付プレート７２と、制御基板９１を覆う基板保護プレート７６とを有している。
【００５２】
基板取付プレート７２は、電装品アセンブリ７が機械室Ｓ２内に設けられた状態において、送風機室Ｓ１側に配置される部材であり、主として、ユニットケーシング２の前面（すなわち、左右前板２３、２４の前面部分）に対して傾斜しかつ鉛直に延びる縦向きプレート部としての取付プレート部７３と、取付プレート部７３の外周縁から反送風機室Ｓ１側に向かって延びる取付フレーム部７４とを有している。矢印Ａ又は矢印Ｂ方向から見た取付プレート部７３の略中央には、取付プレート開口７３ａが形成されている。そして、取付プレート部７３の反送風機室Ｓ１側の面には、取付プレート開口７３ａに対向する位置に、インバータ制御素子９２が装着されている。インバータ制御素子９２は、例えば、パワートランジスタやダイオード等の運転時に高温発熱する電気部品である。また、取付プレート部７３の反送風機室Ｓ１側には、運転制御素子が実装された制御基板９１が取付プレート部７３の面に平行な状態で、固定部材としての複数のネジ９３を用いて装着されている。すなわち、制御基板９１の基板面は、取付プレート部７３と同様に、ユニットケーシング２の前面に対して傾斜しかつ鉛直に延びていることになる。また、制御基板９１は、取付プレート部７３の反送風機室Ｓ１の面との間に隙間（以下、この隙間を隙間βとする）を空けた状態で配置されている。この隙間βは、本実施形態において、５ｍｍから２０ｍｍである。さらに、制御基板９１は、本実施形態において、取付プレート部７３の反送風機室Ｓ１側の面との間にインバータ制御素子９２を挟むように配置されており、インバータ制御素子９２と一体となっている。また、取付プレート部７３の送風機室Ｓ１側の面には、取付プレート開口７３ａを覆うように、ヒートシンク９４が装着されている。ヒートシンク９４は、主として、取付プレート部７３の送風機室Ｓ１側の面に装着されるフランジ部９４ａと、フランジ部９４ａの送風機室Ｓ１側の面から送風機室Ｓ１内に向かって突出する水平な複数の冷却フィン９４ｂとを有している。フランジ部９４ａは、略矩形状のプレート部分である。取付フレーム部７４は、主として、取付プレート部７３の上縁部から反送風機室Ｓ１側に向かって略水平に延びる上方フレーム部７４ａと、取付プレート部７３の側縁部から反送風機室Ｓ１側に向かって略水平に延びる側方フレーム部７４ｂ、７４ｃと、取付プレート部７３の下縁部から反送風機室Ｓ１側に向かって略水平に延びる横向きプレート部としての下方フレーム部７５とから構成されている。そして、制御基板９１は、取付フレーム部７４との間にわずかな隙間（以下、この隙間を隙間γとする）をもって、取付フレーム部７４の内側に配置されている。この隙間γは、本実施形態において、３ｍｍ以下である（例えば、図４における下方フレーム部７５と制御基板９１との上下方向間の隙間γを参照）。また、下方フレーム部７５には、排水部としての複数（ここでは、３つ）のスリット７５ａ〜７５ｃが形成されている。各スリット７５ａ〜７５ｃは、本実施形態において、取付プレート部７３と下方フレーム部７５との接続部分から、制御基板９１の下側を横切って、下方フレーム部７５の反送風機室Ｓ１側の端部まで延びている。
【００５３】
基板保護プレート７６は、電装品アセンブリ７が機械室Ｓ２内に設けられた状態において、基板取付プレート７２の反送風機室Ｓ１側に配置される部材であり、主として、ユニットケーシング２の前面（すなわち、左右前板２３、２４の前面部分）に対して傾斜しかつ鉛直に延びる保護プレート部７７と、保護プレート部７７の外周縁から送風機室Ｓ１側に向かって延びる保護フレーム部７８とを有している。保護プレート部７７は、主として、電装品アセンブリ７が機械室Ｓ２内に設けられた状態において、ユニットケーシング２の前面寄りの前側保護プレート部７７ａと、前側保護プレート部７７ａよりもユニットケーシング２の前面から遠い側の後側保護プレート部７７ｂとを有している。後側保護プレート部７７ｂは、矢印Ａ方向から見た保護プレート部７７の左右方向略中央に形成された段差を介して前側保護プレート部７７ａに対して矢印Ｂ方向に突出した状態で一体となっている。前側保護プレート部７７ａ及び後側保護プレート部７７ｂは、取付プレート部７３の面に平行に配置されている。保護フレーム部７８は、取付フレーム部７４と矢印Ａ又は矢印Ｂ方向に直交する方向から見た際に、互いの矢印Ａ又は矢印Ｂ方向の端部が重なるように配置されている。そして、基板保護プレート７６は、保護フレーム部７８又は取付フレーム部７４（具体的には、上方フレーム部７４ａ、側方フレーム部７４ｂ、７４ｃ及び下方フレーム部７５）に形成された係合爪やネジ等を用いて基板取付プレート７２に装着されている。また、前側保護プレート部７７ａの外面（すなわち、基板保護プレート７６を矢印Ａ方向から見た面）には、制御基板９１とは別に、運転制御素子のうちで視認性及びサービス性を必要とする高アクセス頻度制御素子（例えば、ＬＥＤ等からなる表示素子９８ａやスイッチやコネクタ等からなる操作素子９８ｂ）が実装された第１補助基板９８が装着されている。ここで、第１補助基板９８は、前側保護プレート部７７ａの外面に形成された複数（ここでは、４つ）の係止爪７７ｃを含む第１補助基板装着部７９において固定されている。さらに、電装品アセンブリ７が機械室Ｓ２内に設けられた状態において、前側保護プレート部７７ａの第１補助基板装着部７９の下側、後側保護プレート部７７ｂの上部及び後側保護プレート部７７ｂの下部には、それぞれ、付加機能（例えば、通信機能やデマンド制御機能等）を追加する際に必要な付加機能用制御素子が実装された第２補助基板９９ａ、９９ｂ及び９９ｃを装着することができるようになっている。ここで、第２補助基板９９ａは、前側保護プレート部７７ａの外面に形成された複数（ここでは、４つ）の係止爪７７ｄを含む第２補助基板装着部８０ａにおいて固定できるようになっている。第２補助基板９９ｂは、後側保護プレート部７７ｂの外面に形成された複数（ここでは、３つ）のネジ孔７７ｅを含む第２補助基板装着部８０ｂにおいて固定できるようになっている。第２補助基板９９ｃは、後側保護プレート部７７ｂの外面に形成された複数（ここでは、３つ）の係止爪７７ｆを含む第２補助基板装着部８０ｃにおいて固定できるようになっている。尚、躯体７１（すなわち、基板保護プレート７６）を矢印Ａ方向から見た際においても、ユニットケーシング２の側面（すなわち、右前板２４の側面部分及び右側板２５の側面部分）によって隠れてしまうことなく、高アクセス頻度制御素子９８ａ、９８ｂのすべて（すなわち、第１補助基板９８全体）を視認することができるように、ユニットケーシング２の前面に対して傾斜している。より具体的には、躯対７１は、躯体７１（すなわち、基板保護プレート７６）を矢印Ａ方向から見た際において、ユニットケーシング２の側面の前端が基板保護プレート７６の上下方向に延びる段差とほぼ重なるように、ユニットケーシング２の前面に対して傾斜している。
【００５４】
また、電装品アセンブリ７が機械室Ｓ２内に設けられた状態において、躯体７１の上面にはリアクトル９６が金属製のリアクトル取付プレート８５を介して装着されており、躯体７１の下面にはノイズフィルタ９７が装着されている。
【００５５】
そして、上述のような各種電気部品やヒートシンク９４が装着された躯体７１には、取付プレート部７３の送風機室Ｓ１側の面を覆うように躯体支持プレート８１が固定されている。躯体支持プレート８１は、金属製の部材であり、主として、電装品アセンブリ７が機械室Ｓ２内に設けられた状態において、取付プレート部７３の送風機室Ｓ１側の面に接する支持プレート部８２と、支持プレート部８２の両側縁から仕切板２８の屈曲面に沿って延びる前側延出部８３及び後側延出部８４とを有している。ここで、支持プレート部８２は、取付プレート部７３の下部を除くほぼ全面を覆っており、取付プレート部７３に装着されたヒートシンク９４のフランジ部９４ａの外周側を囲むように支持プレート開口８２ａが形成されている。これにより、躯体７１に装着されたヒートシンク９４の複数の冷却フィン９４ｂは、躯体７１が躯体支持プレート８１に固定された状態において、支持プレート開口８２ａを貫通して支持プレート部８２の送風機室Ｓ１側に突出している。また、支持プレート部８２には、その下端が送風機室Ｓ１側に向かって延びた後に下方に延びる舌部８２ｂが折り曲げ等により形成されている。そして、躯体支持プレート８１は、躯体７１が固定された状態において、例えば、前側延出部８３、後側延出部８４又は支持プレート部８２に形成された係合爪やネジ等を用いて仕切板２８に固定されている。ここで、仕切板２８には、送風機室Ｓ１と機械室Ｓ２とを連通するように略矩形状の仕切板開口２８ａが形成されている。仕切板開口２８ａは、支持プレート開口８２ａに対向しかつ矢印Ｂ方向から見た際に支持プレート開口８２ａ及び支持プレート部８２の下端を囲むように形成されている。これにより、ヒートシンク９４の複数の冷却フィン９４ｂ及び躯体支持プレート８１の舌部８２ｂは、躯体支持プレート８１を介して躯体７１が仕切板２８に固定された状態において、送風機室Ｓ１内に突出しており、インバータ制御素子９２の運転時の冷却を行うことができるようになっている。また、躯体７１は、機械室Ｓ２内に設けられた状態において、制御基板９１の基板面が仕切板２８に沿うようにかつユニットケーシング２の前面に対して傾斜するように設けられている。しかも、躯体７１の角部は、機械室Ｓ２内に設けられた状態の電装品アセンブリ７を上から見た際に、躯体支持プレート８１を介して、仕切板２８の屈曲面に沿うように接している。
【００５６】
そして、取付プレート部７３の反送風機室Ｓ１側の面（すなわち、制御基板９１の基板面に対向する面）には、制御基板９１と取付プレート部７３との間に存在する水を排水部としての複数のスリット７５ａ〜７５ｃに導く導水路（具体的には、以下に説明する突出部としての複数の導水リブ７３ｃ〜７３ｋ、７３ｍによって構成される導水路）が形成されており、制御基板９１と取付プレート部７３との間に水が侵入した場合においても、制御基板９１と躯体７１との間に存在する水を速やかに排出して滞留することを防ぐことができるようになっている。以下、この導水路について、図３及び図５〜８を用いて、周辺の構造も含めて詳細に説明する。ここで、図６は、躯体７１の基板取付プレート７２（基板保護プレート７２、制御基板９１、インバータ制御素子９２及びヒートシンク９４を取り外した状態）をＡ方向から見た図である。図７は、図６のＥ−Ｅ断面図（制御基板９１を２点鎖線により図示）である。図８は、図６のＦ−Ｆ断面図（制御基板９１を２点鎖線により図示）である。
【００５７】
まず、制御基板９１の取付プレート部７３への装着構造について詳細に説明する。取付プレート部７３の反送風機室Ｓ１側の面には、図６及び図８に示されるように、制御基板９１を取付プレート部７３に装着するための複数（ここでは、１０個）の固定座部７３ｎが制御基板側に突出するように形成されている。各固定座部７３ｎの制御基板側の端部には、制御基板９１の基板面に当接する平坦な面が形成されており、制御基板９１が取付プレート部７３に装着されると、取付プレート部７３の面に平行な状態で、かつ、取付プレート部７３の反送風機室Ｓ１の面との間に隙間βを空けた状態で配置されるようになっている。そして、各固定座部７３ｎには、その制御基板側の端部から取付プレート部７３側に向かって延びるネジ孔が形成されており、制御基板９１がネジ９３を用いて装着されている。また、制御基板９１は、ネジ９３を用いて取付プレート部７３に装着された状態において、下方フレーム部７５との間に隙間γをもって、取付フレーム部７４の内側（下方フレーム部７５の上側）に配置されている。
【００５８】
次に、ヒートシンク９４のフランジ部９４ａの取付プレート部７３への装着構造について詳細に説明する。フランジ部９４ａは、ネジ９５を用いて取付プレート部７３に装着されている。より具体的には、図６に示されるように、取付プレート部７３にはネジ９５が挿入されるネジ孔７３ｂが取付プレート開口７３ａの外周側に複数（ここでは、４つ）形成されており、また、図５に示されるように、フランジ部９４ａにはネジ孔７３ｂに対応する位置にネジ孔９４ｃが形成されており、両ネジ孔７３ｂ、９４ｃにネジ９５を挿入することで、フランジ部９４ａが取付プレート部７３に装着されている。
【００５９】
次に、排出部としてのスリット７５ａ〜７５ｃについて詳細に説明する。スリット７５ａは、図６に示されるように、下方フレーム部７５をＡ方向から見た際において、下方フレーム部７５の側方フレーム部７４ｂ寄りの位置に形成されている。また、取付プレート開口７３ａ及びネジ孔７３ｂが形成された部分（すなわち、ヒートシンク９４が装着される部分）との関係でいえば、ヒートシンク９４が装着される部分のうち側方フレーム部７４ｂ寄りの部分の下側に配置されている。スリット７５ｂは、図６に示されるように、下方フレーム部７５をＡ方向から見た際において、下方フレーム部７５の横方向略中央の位置に形成されている。また、取付プレート開口７３ａ及びネジ孔７３ｂが形成された部分（すなわち、ヒートシンク９４が装着される部分）との関係でいえば、ヒートシンク９４が装着される部分の横方向略中央の部分の下側に配置されている。スリット７５ｃは、図６に示されるように、下方フレーム部７５をＡ方向から見た際において、下方フレーム部７５の側方フレーム部７４ｃ寄りの位置に形成されている。また、取付プレート開口７３ａ及びネジ孔７３ｂが形成された部分（すなわち、ヒートシンク９４が装着される部分）との関係でいえば、ヒートシンク９４が装着される部分のうち側方フレーム部７４ｃ寄りの部分の下側に配置されている。さらに、下方フレーム部７５及び取付プレート部７３の下端部は、図５に示されるように、仕切板２８の仕切板開口２８ａよりも下側に配置されているため、下方フレーム部７５に形成されたスリット７５ａ〜７５ｃも仕切板開口２８ａよりも下側に配置されることになる。
【００６０】
次に、取付プレート部７３の反送風機室Ｓ１側の面に形成された導水リブ７３ｃ〜７３ｋ、７３ｍについて詳細に説明する。導水リブ７３ｃは、図６に示されるように、取付プレート部７３をＡ方向から見た際において、スリット７５ａの上側でかつスリット７５ａの横方向側方フレーム部７４ｂ側の位置から、スリット７５ａの横方向側方フレーム部７４ｂ側の縁部に向かって、斜め下方に真っ直ぐ延びている。ここで、導水リブ７３ｃの下端は、スリット７５ａの横方向側方フレーム部７４ｂ側の縁部に繋がっており、下方フレーム部７５の上面と一体となっている。導水リブ７３ｄは、図６に示されるように、取付プレート部７３をＡ方向から見た際において、スリット７５ａの上側でかつスリット７５ａの横方向側方フレーム部７４ｃ側の位置から、スリット７５ａの横方向側方フレーム部７４ｃ側の縁部に向かって、斜め下方に真っ直ぐ延びている。ここで、導水リブ７３ｄの下端は、スリット７５ａの横方向側方フレーム部７４ｃ側の縁部に繋がっており、下方フレーム部７５の上面と一体となっている。導水リブ７３ｅは、図６に示されるように、取付プレート部７３をＡ方向から見た際において、スリット７５ｂの上側でかつスリット７５ｂの横方向側方フレーム部７４ｂ側の位置から、スリット７５ｂの横方向側方フレーム部７４ｂ側の縁部に向かって、斜め下方に真っ直ぐ延びている。ここで、導水リブ７３ｅの下端は、スリット７５ｂの横方向側方フレーム部７４ｂ側の縁部に繋がっており、下方フレーム部７５の上面と一体となっている。また、導水リブ７３ｅの上端部は、導水リブ７３ｄの上端部と繋がっている。導水リブ７３ｆは、図６に示されるように、取付プレート部７３をＡ方向から見た際において、取付プレート開口７３ａの下縁部から、その下方に配置された固定座部７３ｎに向かって、鉛直下方に真っ直ぐ延びている。ここで、導水リブ７３ｅは、この固定座部７３ｎに当接するまでは延びておらず、固定座部７３ｎの直上の位置まで延びている。導水リブ７３ｇは、図６に示されるように、取付プレート部７３をＡ方向から見た際において、導水リブ７３ｆの下端部から、その直下の固定座部７３ｎの側方フレーム部７４ｂ側の縁部よりも側方フレーム部７４ｂ側の位置まで、斜め下方に真っ直ぐ延びている。ここで、導水リブ７３ｇの下端部は、スリット７５ａ又は導水リブ７３ｄの上方に対応する位置まで延びている。導水リブ７３ｆは、図６に示されるように、取付プレート部７３をＡ方向から見た際において、導水リブ７３ｆの下端部から、その直下の固定座部７３ｎの側方フレーム部７４ｃ側の縁部よりも側方フレーム部７４ｃ側の位置まで、斜め下方に真っ直ぐ延びている。ここで、導水リブ７３ｈの下端部は、スリット７５ｂ又は導水リブ７３ｅの上方に対応する位置まで延びている。導水リブ７３ｊは、図６に示されるように、取付プレート部７３をＡ方向から見た際において、取付プレート開口７３ａの下縁部であって導水リブ７３ｆよりも横方向側方フレーム部７４ｃ側の位置から、後述の導水リブ７３ｉと導水リブ７３ｋとに分岐する位置まで、鉛直下方に真っ直ぐ延びている。導水リブ７３ｉは、図６に示されるように、取付プレート部７３をＡ方向から見た際において、導水リブ７３ｊの下端部から、スリット７５ｂの横方向側方フレーム部７４ｃ側の縁部に向かって、斜め下方に真っ直ぐ延びた後に鉛直下方に真っ直ぐ延びている。ここで、導水リブ７３ｉの下端は、スリット７５ｂの横方向側方フレーム部７４ｃ側の縁部に繋がっており、下方フレーム部７５の上面と一体となっている。導水リブ７３ｋは、図６に示されるように、取付プレート部７３をＡ方向から見た際において、導水リブ７３ｊの下端部から、スリット７５ｃの横方向側方フレーム部７４ｂ側の縁部に向かって、鉛直下方に真っ直ぐ延びた後に斜め下方に真っ直ぐ延びている。ここで、導水リブ７３ｋの下端は、スリット７５ｃの横方向側方フレーム部７４ｂ側の縁部に繋がっており、下方フレーム部７５の上面と一体となっている。導水リブ７３ｍは、図６に示されるように、取付プレート部７３をＡ方向から見た際において、スリット７５ｃの上側でかつスリット７５ｃの横方向側方フレーム部７４ｃ側の位置から、スリット７５ｃの横方向側方フレーム部７４ｃ側の縁部に向かって、斜め下方に真っ直ぐ延びた後に鉛直下方に真っ直ぐ延びている。ここで、導水リブ７３ｍの下端は、スリット７５ｃの横方向側方フレーム部７４ｃ側の縁部に繋がっており、下方フレーム部７５の上面と一体となっている。
【００６１】
これらの導水リブ７３ｃ〜７３ｋ、７３ｍは、図６及び図７に示されるように、ヒートシンク９４の取付プレート部７３への装着部分（すなわち、取付プレート開口７３ａ及びネジ孔７３ｂ）の下側に配置されている。また、これらの導水リブ７３ｃ〜７３ｋ、７３ｍの制御基板側への突出距離は、取付プレート部７３の反送風機室Ｓ１の面と制御基板９１との隙間β以下になるように設定されている。
【００６２】
そして、導水リブ７３ｃ〜７３ｋ、７３ｍは、制御基板９１と取付プレート部７３との間に水が存在する場合に、この水をスリット７５ａ〜７５ｃに導く導水路を構成している（図６及び図７の導水リブ及びその近傍に付された矢印を参照）。より具体的には、導水リブ７３ｃ、７３ｄは、上方から流下する水を受けて、スリット７５ａに導く導水路を構成している。導水リブ７３ｅ、７３ｉは、上方から流下する水を受けて、スリット７５ｂに導く導水路を構成している。導水リブ７３ｋ、７３ｍは、上方から流下する水を受けて、スリット７５ｃに導く導水路を構成している。導水リブ７３ｆ〜７３ｈは、上方から流下する水を受けて、導水リブ７３ｆの直下に形成された固定座部７３ｎを避けつつ、導水リブ７３ｇ、７３ｈよりも下側のスリット７５ａ、７５ｂに導く導水路を構成している。
【００６３】
このように、本実施形態の電装品アセンブリ７では、躯体７１を構成する基板取付プレート７２の下部（ここでは、横向きプレート部としての下方フレーム部７５）に、制御基板９１と取付プレート部７３との間に存在する水を排水部としての複数のスリット７５ａ〜７５ｃが形成され、かつ、取付プレート部７３の反送風機室Ｓ１側の面（すなわち、制御基板９１の基板面に対向する面）に、複数のスリット７５ａ〜７５ｃに水を導くための導水路を構成する突出部としての複数の導水リブ７３ｃ〜７３ｋ、７３ｍが形成されている。そして、スリット７５ａ〜７５ｃ及び導水リブ７３ｃ〜７３ｋ、７３ｍは、基板取付プレート７２を樹脂射出成形する際に同時に形成されるものである。
【００６４】
端子台８６は、主として、電源接続用の複数の端子部を有する端子台本体８６ａと、端子台本体８６ａの背面が固定される端子台固定プレート８６ｂとを有している。電装品アセンブリ７が機械室Ｓ２内に設けられた状態において、端子台８６は、端子台本体８６ａの端子部がユニットケーシング２の前面を向くように配置されており、端子台固定プレート８６ｂの仕切板２８側の一端が仕切板２８に固定されている。尚、端子台固定プレート８６ｂの一端が左前板２３の前部に固定されてもよい。
【００６５】
端子台サポート部材８７は、電装品アセンブリ７が機械室Ｓ２内に設けられた状態において端子台８６を支持する第１端子台支持部８７ａと、電装品アセンブリ７が機械室Ｓ２内に設けられた状態において躯体７１の上下方向に延びる軸である係合軸７１ａまわり（軸中心をＯとする）に回動可能に支持される躯体被支持部８７ｂとを有する棒状の部材である。端子台サポート部材８７は、躯体被支持部８７ｂを回動させることによって、第１端子台支持部８７ａを制御基板９１の基板面に対して接近又は離反させることが可能である。そして、端子台固定プレート８６ｂの他端は、端子台サポート部材８７を角度αだけ傾斜させた第１状態にして第１端子台支持部８７ａに装着されることにより支持されている。
【００６６】
このように、本実施形態の電装品アセンブリ７では、躯体７１とは別に端子台８６をユニットケーシング２の前面を向くように仕切板２８に固定するとともに、躯体７１に設けられた端子台サポート部材８７によって支持されている。
【００６７】
（６）本実施形態の電装品アセンブリ及びそれを備えた室外ユニットの特徴
本実施形態の電装品アセンブリ７及びそれを備えた室外ユニット１には、以下のような特徴がある。
【００６８】
（Ａ）
本実施形態の電装品アセンブリ７及びそれを備えた室外ユニット１では、躯体７１が縦向きに配置される制御基板９１を保持しており、この躯体７１の下部に制御基板９１との間に存在する水を排出する排水部としてのスリット７５ａ〜７５ｃが形成され、かつ、この躯体７１の制御基板９１の基板面に対向する面（本実施形態では、反送風機室Ｓ１側の面）に水をスリット７５ａ〜７５ｃに導く導水路を構成する導水リブ７３ｃ〜７３ｋ、７３ｍが形成されているため、制御基板９１と躯体７１（より具体的には、取付プレート部７３）との間に存在する水を速やかに排出して滞留することを防ぐことができる。これにより、この電装品アセンブリ７では、制御基板９１と躯体７１との間に水が侵入した場合であっても、制御基板９１のパターンに水が接触して制御基板９１がショートする等の不具合を生じにくくすることができ、信頼性を向上させることができ、結果的に、室外ユニット１の信頼性も向上させることができる。
【００６９】
また、本実施形態の電装品アセンブリ７では、排水部がスリット７５ａ〜７５ｃであるため、躯体７１の下部の強度低下を極力防ぐことができる。
【００７０】
（Ｂ）
本実施形態の電装品アセンブリ７では、導水路を構成する導水リブ７３ｃ〜７３ｋ、７３ｍは、排水部としてのスリット７５ａ〜７５ｃの上側に配置されているため、制御基板９１と躯体７１（より具体的には、取付プレート部７３）との間に侵入した水を、重力により複数のスリット７５ａ〜７５ｃまで導くことができる。
【００７１】
（Ｃ）
本実施形態の電装品アセンブリ７では、躯体７１が、制御基板９１の基板面に対向する縦向きプレート部としての取付プレート部７３と、制御基板９１の下側に位置するように取付プレート部７３の制御基板側の面（本実施形態では、反送風機室Ｓ１側の面）から横向きに延びる横向きプレート部としての下方フレーム部７５とを有しており、制御基板９１と躯体７１（より具体的には、取付プレート部７３）との間に水が侵入した場合において、取付プレート部７３と下方フレーム部７５との接続部分及びその近傍に水が滞留しやすくなっているが、制御基板９１の基板面に対向する面を構成する取付プレート部７３に導水路を構成する導水リブ７３ｃ〜７３ｋ、７３ｍが形成されているため、制御基板９１と躯体７１との間に存在する水を排水部としての複数のスリット７５ａ〜７５ｃに導いて速やかに排出して、取付プレート部７３と下方フレーム部７５との接続部分及びその近傍に水が滞留することを防ぐことができる。
【００７２】
（Ｄ）
本実施形態の電装品アセンブリ７では、横向きプレート部としての下方フレーム部７５と制御基板９１との上下方向の隙間γが３ｍｍ以下であり、制御基板９１と躯体７１（より具体的には、取付プレート部７３）との間に水が侵入した場合において、横向きプレート部と制御基板とが非常に接近して設けられているため、下方フレーム部７５と制御基板９１との間の部分及びその近傍に水が滞留しやすくなっているが、導水路としての導水リブ７３ｃ〜７３ｋ、７３ｍ及び排水部としてのスリット７５ａ〜７５ｃが形成されているため、制御基板９１と躯体７１との間に存在する水を導水リブ７３ｃ〜７３ｋ、７３ｍによってスリット７５ａ〜７５ｃに導いて速やかに排出して、下方フレーム部７５と制御基板９１との間の部分及びその近傍に水が滞留することを防ぐことができる。
【００７３】
（Ｅ）
本実施形態の電装品アセンブリ７では、制御基板９１と躯体７１（より具体的には、取付プレート部７３）との間に水が侵入した場合において水が滞留しやすい縦向きプレート部としての取付プレート部７３と横向きプレート部としての下方フレーム部７５との接続部分及び／又はその近傍に、排水部としてのスリット７５ａ〜７５ｃを形成しているため、取付プレート部７３と下方フレーム部７５との接続部分及びその近傍に水が滞留することを確実に防ぐことができる。
【００７４】
（Ｆ）
本実施形態の電装品アセンブリ７では、制御基板９１と躯体７１（より具体的には、取付プレート部７３）との間に水が侵入した場合において制御基板９１と躯体７１との間の部分のうちで最も下側に位置する横向きプレート部としての下方フレーム部７５に、排水部としてのスリット７５ａ〜７５ｃを形成しているため、取付プレート部７３と下方フレーム部７５との接続部分及びその近傍に水が滞留することを確実に防ぐことができる。また、本実施形態のように、下方フレーム部７５と制御基板９１とが非常に接近して設けられている場合には、下方フレーム部７５と制御基板９１との間の部分及びその近傍に水が滞留することを確実に防ぐことができる。
【００７５】
特に、本実施形態の電装品アセンブリ７では、排水部としてのスリット７５ａ〜７５ｃが制御基板９１の下側を横切って、下方フレーム部７５の反送風機室Ｓ１側の端部まで延びるように形成されており、最も隙間が狭い下方フレーム部７５と制御基板９１との間の部分からも水を排出することができるため、下方フレーム部７５と制御基板９１との間の部分及びその近傍に水が滞留することを確実に防ぐことができる。
【００７６】
（Ｇ）
本実施形態の電装品アセンブリ７では、縦向きプレート部としての取付プレート部７３に、その制御基板側の面（本実施形態では、反送風機室Ｓ１側の面）から制御基板側へ突出し、かつ、排出部としてのスリット７５ａ〜７５ｃに向かって下方に延びる突出部としての導水リブ７３ｃ〜７３ｋ、７３ｍが形成されており、導水路が導水リブ７３ｃ〜７３ｋ、７３ｍによって構成されているため、制御基板９１と躯体７１（より具体的には、取付プレート部７３）との間に存在する水を速やかにスリット７５ａ〜７５ｃに導く機能が得られるとともに、躯体７１の取付プレート部７３の強度向上にも寄与することができる。
【００７７】
しかも、本実施形態の電装品アセンブリ７では、導水リブ７３ｃ〜７３ｅ、７３ｉ、７３ｋ、７３ｍ下端がスリット７５ａ〜７５ｃに繋がっており、下方フレーム部７５の上面と一体となっているため、スリット７５ａ〜７５ｃが形成された下方フレーム部７５の強度向上にも寄与している。
【００７８】
（Ｈ）
本実施形態の電装品アセンブリ７では、縦向きプレート部としての取付プレート部７３の制御基板側の面にインバータ制御素子９２が装着されるとともに、取付プレート部７３の制御基板９１とは反対側の面（本実施形態では、送風機室Ｓ１側の面）にインバータ制御素子９２の運転時の冷却のためにヒートシンク９４が装着されているため、取付プレート部７３のヒートシンク９４が装着された部分（すなわち、取付プレート開口７３ａ及びネジ孔７３ｂ）から水が侵入するおそれがあるが、取付プレート部７３にはヒートシンク９４が装着された部分の下側に導水路としての導水リブ７３ｃ〜７３ｋ、７３ｍが形成されているため、制御基板９１と躯体７１（より具体的には、取付プレート部７３）との間にヒートシンク９４が装着された部分から水が侵入した場合であっても、制御基板９１と躯体７１との間に存在する水を排水部としてのスリット７５ａ〜７５ｃに導いて速やかに排出して滞留することを防ぐことができる。
【００７９】
しかも、本実施形態の電装品アセンブリ７では、ヒートシンク９４が仕切板２８の開口である仕切板開口２８ａに対向する位置に配置されており、躯体７１の縦向きプレート部としての取付プレート部７３にも水が付着しやすくなっているが、排水部としてのスリット７５ａ〜７５ｃが仕切板開口２８ａよりも下側に配置されているため、取付プレート部７３に付着した水がスリット７５ａ〜７５ｃを通じて制御基板９１と躯体７１との間に侵入しにくくなっている。
【００８０】
（７）他の実施形態
以上、本発明の実施形態について図面に基づいて説明したが、具体的な構成は、これらの実施形態に限られるものではなく、発明の要旨を逸脱しない範囲で変更可能である。
【００８１】
（Ａ）
上述の実施形態では、突出部としての導水リブ７３ｃ〜７３ｋ、７３ｍを縦向きプレート部としての取付プレート部７３の制御基板９１に対向する面に形成することによって、導水路を構成するようにしているが、これに限定されず、例えば、取付プレート部７３の制御基板９１に対向する面に溝を設けるようにしてもよい。この場合には、突出部を設ける場合に比べて、躯体７１の強度向上の効果を得ることは難しいが、排水部としてのスリット７５ａ〜７５ｃに水を導く機能を得ることはできる。
【００８２】
（Ｂ）
上述の実施形態では、排水部としてのスリット７５ａ〜７５ｃが横向きプレート部としての下方フレーム部７５のみに形成されているが、縦向きプレート部としての取付プレート部７３に形成されていてもよい。例えば、上述の実施形態のスリット７５ａ〜７５ｃを、取付プレート部７３の下端部から上方に延長するように形成することが考えられる。尚、この場合においても、スリット７５ａ〜７５ｃの上端は、仕切板開口２８ａの下端まで達しない程度に延長することが望ましい。
【産業上の利用可能性】
【００８３】
本発明を利用すれば、室外ユニットのケーシング内に配置される電装品アセンブリにおいて、制御基板と躯体との間に水が侵入した場合であっても、制御基板のパターンに水が接触して制御基板がショートする等の不具合を生じにくくすることができる。
【図面の簡単な説明】
【００８４】
【図１】本発明にかかる電装品アセンブリの一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】機械室内に設けられた状態の電装品アセンブリを下から見た図である。
【図４】機械室内に設けられた状態の電装品アセンブリを図１のＡ方向から見た図である。
【図５】機械室内に設けられた状態の電装品アセンブリを図１のＢ方向から見た図である。
【図６】躯体の基板取付プレート（基板保護プレート、制御基板、インバータ制御素子及びヒートシンクを取り外した状態）をＡ方向から見た図である。
【図７】図６のＥ−Ｅ断面図である（制御基板９１を２点鎖線により図示）。
【図８】図６のＦ−Ｆ断面図である（制御基板９１を２点鎖線により図示）。
【符号の説明】
【００８５】
１  室外ユニット
２  ユニットケーシング（ケーシング）
７  電装品アセンブリ
２８  仕切板
２８ａ  仕切板開口（開口）
７１  躯体
７３  取付プレート部（縦向きプレート部）
７３ｃ〜７３ｋ、７３ｍ  導水リブ（突出部）
７５  下方フレーム部（横向きプレート部）
７５ａ〜７５ｃ  スリット（排水部）
９１  制御基板
９２  インバータ制御素子
９４  ヒートシンク
Ｓ１  送風機室
Ｓ２  機械室